(57)【特許請求の範囲】
【請求項１】
カードと、
基部材と、
前記基部材に開閉可能に取り付けられている開閉部材と、
前記基部材に設けられているスイッチ機構と、
を備え、
前記スイッチ機構は、
閉状態の前記開閉部材に係合する係合部材と、
前記カードの直線運動を回転運動に変換して回転運動を伝達する運動変換伝達部材と、
前記運動変換伝達部材から伝達された回転運動により、前記係合部材の係合状態を解除して閉状態の前記開閉部材を開状態とする解除部材と、
を有し、
前記カードには、係合部が直線方向に複数個設けられていて、
前記運動変換伝達部材には、前記カードの前記係合部に係合する係合部が、回転方向に複数個設けられていて、
前記カードの前記係合部は、前記カードの平面方向に凹凸形状に設けられていて、
前記運動変換伝達部材の前記係合部は、前記カードの平面に対して垂直もしくはほぼ垂直である回転中心線から径方向に凹凸形状に設けられている、
ことを特徴とするカードスイッチ。
【請求項２】
カードと、
基部材と、
前記基部材に開閉可能に取り付けられている開閉部材と、
前記基部材に設けられているスイッチ機構と、
を備え、
前記スイッチ機構は、
閉状態の前記開閉部材に係合する係合部材と、
前記カードの直線運動を回転運動に変換して回転運動を伝達する運動変換伝達部材と、
前記運動変換伝達部材から伝達された回転運動により、前記係合部材の係合状態を解除して閉状態の前記開閉部材を開状態とする解除部材と、
を有し、
前記カードには、係合部が直線方向に複数個設けられていて、
前記運動変換伝達部材には、前記カードの前記係合部に係合する係合部が、回転方向に複数個設けられていて、
前記カードの前記係合部は、前記カードの平面に対して垂直方向に凹凸形状に設けられていて、
前記運動変換伝達部材の前記係合部は、前記カードの平面に対して平行もしくはほぼ平行でありかつ前記カードの直線運動の方向に対して垂直もしくはほぼ垂直である回転中心線から径方向に凹凸形状に設けられている、
ことを特徴とするカードスイッチ。
【請求項３】
前記運動変換伝達部材と前記解除部材との間には、前記運動変換伝達部材からの回転運動を一方向に前記解除部材に伝達する回転運動一方向伝達部材が、設けられている、
ことを特徴とする請求項１または２に記載のカードスイッチ。
【請求項４】
カードと、
基部材と、
前記基部材に開閉可能に取り付けられている開閉部材と、
前記基部材に設けられているスイッチ機構と、
を備え、
前記スイッチ機構は、
閉状態の前記開閉部材に係合する係合部材と、
前記カードの直線運動を回転運動に変換して回転運動を伝達する運動変換伝達部材と、
前記運動変換伝達部材から伝達された回転運動により、前記係合部材の係合状態を解除して閉状態の前記開閉部材を開状態とする解除部材と、
を有し、
前記カードには、係合部が直線方向に複数個設けられていて、
前記運動変換伝達部材には、前記カードの前記係合部に係合する係合部が、回転方向に複数個設けられていて、
前記運動変換伝達部材と前記解除部材との間には、前記運動変換伝達部材からの回転運動を一方向に前記解除部材に伝達する回転運動一方向伝達部材が、設けられている、
ことを特徴とするカードスイッチ。
【請求項５】
前記カードの前記係合部は、前記カードの平面に対して垂直方向に透孔形状に開設されていて、
前記運動変換伝達部材の前記係合部は、前記カードの平面に対して平行もしくはほぼ平行でありかつ前記カードの直線運動の方向に対して垂直もしくはほぼ垂直である回転中心線から径方向に凹凸形状に設けられている、
ことを特徴とする請求項４に記載のカードスイッチ。
【請求項６】
前記カードの前記係合部の個数と前記運動変換伝達部材の前記係合部の個数との比は、任意である、
ことを特徴とする請求項１〜５のいずれか１項に記載のカードスイッチ。
【請求項７】
前記の請求項１〜６のいずれか１項に記載のカードスイッチを備えた変形玩具において、
前記基部材に前記開閉部材を開閉可能に取り付ける取付部材と、
前記開閉部材を閉状態から開状態に付勢させる弾性部材と、
を備え、
前記係合部材は、閉状態の前記開閉部材に係合して前記開閉部材を前記弾性部材の弾性力に抗して閉状態に維持し、
前記運動変換伝達部材は、前記カードの直線運動を回転運動に変換して回転運動を伝達し、
前記解除部材は、前記運動変換伝達部材から伝達された回転運動により、前記係合部材の係合状態を解除して、閉状態の前記開閉部材を前記弾性部材の弾性力で開状態とし、
補助開閉部材と、
前記基部材もしくは前記開閉部材のうち少なくともいずれか一方に前記補助開閉部材を開閉可能に取り付ける補助取付部材と、
前記補助開閉部材を閉状態から開状態に付勢させる補助弾性部材と、
前記開閉部材が閉状態のときには前記補助開閉部材を前記補助弾性部材の弾性力に抗して閉状態に維持し、前記開閉部材が開状態のときには閉状態の前記補助開閉部材を前記補助弾性部材の弾性力で開状態とする係止部と、
を備える、
ことを特徴とする変形玩具。
【発明の詳細な説明】
【技術分野】
【０００１】
この発明は、カードがキーで、そのカードを直線運動（スラッシュ）させることにより、ロックが解除されるカードスイッチに関するものである。このカードスイッチは、玩具やアクセサリーなどに使用される。
また、この発明は、前記のカードスイッチを備えた変形玩具に関するものである。
【背景技術】
【０００２】
カードを使用して変形する変形玩具は、従来からある（たとえば、特許文献１）。以下、従来の変形玩具について説明する。
従来の変形玩具は、カー玩具であって、カーの下部に任意のカードが付着されると、分離可能に結合されたカーの胴体の一部が分離され、分離されたカーの胴体の一部が床面を加圧してカーを直立させまたは転覆させ、付着されたカードの裏面を露出させるものである。
すなわち、従来の変形玩具は、カーの走行過程において、任意のカードが付着されると、そのカードを裏返して見せるように、カーの形態が自動で変形するものである。
【先行技術文献】
【特許文献】
【０００３】
【特許文献１】特表２０１５−５０４７５８号公報
【発明の概要】
【発明が解決しようとする課題】
【０００４】
ところが、従来の変形玩具は、カーの走行過程において、カーにカードが付着されると、カーが変形するものであるから、カーを変形させる際に、カードを直線運動（スラッシュ）などのアクションを行う必要がない。
このために、従来の変形玩具は、カードの直線運動（スラッシュ）などのアクションにより、カーを変形させる面白みがない。
また、従来の変形玩具を、玩具やアクセサリーなどに使用されるカードスイッチに適用した場合においても、カードの直線運動（スラッシュ）などのアクションにより、ロックを解除するようなことができない。
【０００５】
この発明が解決しようとする課題は、カードの直線運動（スラッシュ）などのアクション（以下、単に「直線運動」と称する）により、ロックを解除することができるカードスイッチを提供することにある。
また、この発明が解決しようとする課題は、カードの直線運動により、玩具を変形させる面白みがある変形玩具を提供することにある。
【課題を解決するための手段】
【０００６】
この発明のカードスイッチは、カードと、基部材と、基部材に開閉可能に取り付けられている開閉部材と、基部材に設けられているスイッチ機構と、を備え、スイッチ機構が、閉状態の開閉部材に係合する係合部材と、カードの直線運動を回転運動に変換して回転運動を伝達する運動変換伝達部材と、運動変換伝達部材から伝達された回転運動により、係合部材の係合状態を解除して閉状態の開閉部材を開状態とする解除部材と、を有し、カードには、係合部が直線方向に複数個設けられていて、運動変換伝達部材には、カードの係合部に係合する係合部が、回転方向に複数個設けられていて、カードの係合部が、カードの平面方向に凹凸形状に設けられていて、運動変換伝達部材の係合部が、カードの平面に対して垂直もしくはほぼ垂直である回転中心線から径方向に凹凸形状に設けられている、ことを特徴とする。
【０００７】
この発明のカードスイッチは、カードと、基部材と、基部材に開閉可能に取り付けられている開閉部材と、基部材に設けられているスイッチ機構と、を備え、スイッチ機構が、閉状態の開閉部材に係合する係合部材と、カードの直線運動を回転運動に変換して回転運動を伝達する運動変換伝達部材と、運動変換伝達部材から伝達された回転運動により、係合部材の係合状態を解除して閉状態の開閉部材を開状態とする解除部材と、を有し、カードには、係合部が直線方向に複数個設けられていて、運動変換伝達部材には、カードの係合部に係合する係合部が、回転方向に複数個設けられていて、カードの係合部が、カードの平面に対して垂直方向に凹凸形状に設けられていて、運動変換伝達部材の係合部が、カードの平面に対して平行もしくはほぼ平行でありかつカードの直線運動の方向に対して垂直もしくはほぼ垂直である回転中心線から径方向に凹凸形状に設けられている、ことを特徴とする。
【０００８】
この発明は、運動変換伝達部材と解除部材との間には、運動変換伝達部材からの回転運動を一方向に解除部材に伝達する回転運動一方向伝達部材が、設けられている。
【０００９】
この発明のカードスイッチは、カードと、基部材と、基部材に開閉可能に取り付けられている開閉部材と、基部材に設けられているスイッチ機構と、を備え、スイッチ機構が、閉状態の開閉部材に係合する係合部材と、カードの直線運動を回転運動に変換して回転運動を伝達する運動変換伝達部材と、運動変換伝達部材から伝達された回転運動により、係合部材の係合状態を解除して閉状態の開閉部材を開状態とする解除部材と、を有し、カードには、係合部が直線方向に複数個設けられていて、運動変換伝達部材には、カードの係合部に係合する係合部が、回転方向に複数個設けられていて、運動変換伝達部材と解除部材との間には、運動変換伝達部材からの回転運動を一方向に解除部材に伝達する回転運動一方向伝達部材が、設けられている、ことを特徴とする。
【００１０】
この発明は、カードの係合部が、カードの平面に対して垂直方向に透孔形状に開設されていて、運動変換伝達部材の係合部が、カードの平面に対して平行もしくはほぼ平行でありかつカードの直線運動の方向に対して垂直もしくはほぼ垂直である回転中心線から径方向に凹凸形状に設けられている。
【００１１】
この発明は、カードの係合部の個数と運動変換伝達部材の係合部の個数との比が、任意である。
【００１２】
この発明の変形玩具は、前記の請求項１〜６のいずれか１項に記載のカードスイッチを備えた変形玩具において、基部材に開閉部材を開閉可能に取り付ける取付部材と、開閉部材を閉状態から開状態に付勢させる弾性部材と、を備え、係合部材が、閉状態の開閉部材に係合して開閉部材を弾性部材の弾性力に抗して閉状態に維持し、運動変換伝達部材が、カードの直線運動を回転運動に変換して回転運動を伝達し、解除部材が、運動変換伝達部材から伝達された回転運動により、係合部材の係合状態を解除して、閉状態の開閉部材を弾性部材の弾性力で開状態とし、補助開閉部材と、基部材もしくは開閉部材のうち少なくともいずれか一方に補助開閉部材を開閉可能に取り付ける補助取付部材と、補助開閉部材を閉状態から開状態に付勢させる補助弾性部材と、開閉部材が閉状態のときには補助開閉部材を補助弾性部材の弾性力に抗して閉状態に維持し、開閉部材が開状態のときには閉状態の補助開閉部材を補助弾性部材の弾性力で開状態とする係止部と、を備える、ことを特徴とする。
【発明の効果】
【００１４】
この発明は、カードの直線運動により、スイッチ機構を介して、係合部材の係合状態が解除されて、閉状態の開閉部材が開状態となる。この結果、この発明は、カードの直線運動により、ロックを解除することができるカードスイッチを提供することができる。
【００１５】
また、この発明は、カードの直線運動により、スイッチ機構を介して、係合部材の係合状態が解除されて、閉状態の開閉部材が弾性部材の弾性力で自動的に開状態となる。この結果、この発明は、カードの直線運動により、玩具を変形させる面白みがある変形玩具を提供することができる。
【００１６】
特に、この発明は、カードの直線方向に設けられている係合部と、運動変換伝達部材の回転方向に設けられている係合部と、が相互に係合するので、カードの直線運動が運動変換伝達部材の回転運動として確実に変換される。このために、この発明は、確実に変換された回転運動により、ロックを確実に解除することができ、また、玩具を確実に変形させることができる。
【図面の簡単な説明】
【００１７】
【図１】図１は、この発明にかかるカードスイッチおよびそのカードスイッチを備えた変形玩具（以下、単に、「カードスイッチ、変形玩具」と称する）の実施形態１を示す説明斜視図である。（Ａ）は、閉状態（ロック状態）の説明斜視図である。（Ｂ）は、開状態（解除状態）の説明斜視図である。
【図２】図２は、カードスイッチ、変形玩具の説明縦断面図である。（Ａ）は、閉状態（ロック状態）の説明縦断面図（図１（Ａ）におけるＩＩＡ−ＩＩＡ線断面図）である。（Ｂ）は、開状態（解除状態）の説明縦断面図（図１（Ｂ）におけるＩＩＢ−ＩＩＢ線断面図）である。
【図３】図３は、カードの直線運動と運動変換伝達部材の回転運動とを示す説明横断面図（図２におけるＩＩＩ−ＩＩＩ線断面図）である。
【図４】図４は、係合部材の説明横断面図である。（Ａ）は、係合状態の説明横断面図（図２におけるＩＶ−ＩＶ線断面図）である。（Ｂ）は、解除状態の説明横断面図（図２におけるＩＶ−ＩＶ線断面図）である。
【図５】図５は、カードの係合部と運動変換伝達部材の係合部との変形例１を示す説明面図である。（Ａ）は、斜視図である。（Ｂ）は、断面図である。
【図６】図６は、カードの係合部と運動変換伝達部材の係合部との変形例２を示す説明面図である。（Ａ）は、斜視図である。（Ｂ）は、断面図である。
【図７】図７は、この発明にかかるカードスイッチ、変形玩具の実施形態２を示す閉状態（ロック状態、変形前の状態）の説明斜視図である。
【図８】図８は、開状態（解除状態、変形後の状態）を示す説明斜視図である。
【図９】図９は、構成部品を示す説明分解斜視図である。
【図１０】図１０は、基部材とスイッチ機構とを示す説明図（他の部材を除いた状態の図８におけるＸ１０矢視図）である。
【図１１】図１１は、回転運動一方向伝達部材を示す説明図である。（Ａ）は、回転部材の説明底面図（図９におけるＸＩＡ矢視図）である。（Ｂ）は、第３ギアの説明底面図（図９におけるＸＩＢ矢視図）である。（Ｃ）は、回転部材と第３ギアとが組み立てられた状態の説明底面図である。
【図１２】図１２は、開閉部材と係合部材とを示す説明図（他の部材を除いた状態の図７におけるＸＩＩ矢視図）である。
【図１３】図１３は、基部材と開閉部材と補助開閉部材とを示す説明図（一部の部材を除いた状態の図７におけるＸＩＩＩ矢視図）である。
【図１４】図１４は、基部材と開閉部材と補助開閉部材とを示す説明図（一部の部材を除いた状態の図７におけるＸＩＶ矢視図）である。
【図１５】図１５は、この発明にかかるカードスイッチ、変形玩具の実施形態３を示す閉状態（ロック状態、変形前の状態）の説明斜視図である。
【図１６】図１６は、開状態（解除状態、変形後の状態）を示す説明斜視図である。
【図１７】図１７は、構成部品を示す説明分解斜視図である。
【図１８】図１８は、この発明にかかるカードスイッチ、変形玩具の実施形態４を示す閉状態（ロック状態、変形前の状態）の説明斜視図である。
【図１９】図１９は、開状態（解除状態、変形後の状態）を示す説明斜視図である。
【図２０】図２０は、構成部品を示す説明分解斜視図である。
【発明を実施するための形態】
【００１８】
以下、この発明にかかるカードスイッチ、変形玩具の実施形態（実施例）の４例を図面に基づいて詳細に説明する。図において、符号「Ｆ」は「前」、「Ｂ」は「後」、「Ｕ」は上、「Ｄ」は「下」、「Ｌ」は「左」、「Ｒ」は「右」である。
【００１９】
（実施形態１の構成の説明）
図１〜図６は、この発明にかかるカードスイッチ、変形玩具の実施形態１を示す。以下、この実施形態１の構成について説明する。なお、図５（Ｂ）、図６（Ｂ）において、ハッチングを省略する。
【００２０】
この実施形態１にかかるカードスイッチ、変形玩具は、カードＣ１と、基部材１と、開閉部材２と、スイッチ機構Ｓ１と、取付部材３と、弾性部材４と、を備えるものである。
【００２１】
（カードＣ１の説明）
カードＣ１は、この例では、樹脂製のほぼ長方形の板形状をなす。カードＣ１の１長辺の一端部には、係合部Ｃ１０が直線方向に複数個、この例では、５個設けられている。カードＣ１の係合部Ｃ１０は、カードＣ１の平面方向にほぼ三角形の凹凸形状に設けられている。この凸が５個ある。この例のカードＣ１は、いわゆる、ギザギザタイプである。
【００２２】
（基部材１、開閉部材２の説明）
基部材１は、この例では、樹脂製の箱形状をなす。基部材１は、一面（上面）が開口し、五面（下面、前面、後面、左面、右面）が閉塞した中空形状をなす。
【００２３】
開閉部材２は、この例では、樹脂製の蓋形状をなす。開閉部材２は、基部材１の上面開口部を覆い得る大きさ形状をなす。開閉部材２の一面（下面）には、浅い凹部が設けられている。
【００２４】
基部材１の上面開口部の１辺（後辺）には、開閉部材２の下面開口部の１辺（後辺）が、取付部材３（この例では、ヒンジ）により、開閉（回転）可能に取り付けられている。基部材１の上面開口部の前辺と開閉部材２の下面開口部の前辺との間には、カードＣ１が直線運動Ｘ（図１（Ａ）（Ｂ）、図３中の矢印を参照）できる程度の隙間Ｋが左右方向に設けられている。
【００２５】
基部材１と開閉部材２との間には、弾性部材４（この例では、トーションスプリング、ねじりばね、ねじりコイルばね）が介在されている。この結果、開閉部材２は、基部材１に対して、閉状態（図１（Ａ）、図２（Ａ）に示す状態）から開状態（図１（Ｂ）、図２（Ｂ）に示す状態）に付勢されている。すなわち、開閉部材２は、図１（Ｂ）中の矢印Ｚ方向に付勢されている。
【００２６】
（スイッチ機構Ｓ１の説明）
スイッチ機構Ｓ１は、基部材１の上面開口部の１辺（前辺）のほぼ中央部に設けられている。スイッチ機構Ｓ１は、ケーシングあるいはハウジング（以下、単に「ケーシング」と称する）Ｓ１０と、係合部材５と、運動変換伝達部材６と、解除部材７と、を有するものである。
【００２７】
ケーシングＳ１０中には、係合部材５、運動変換伝達部材６、解除部材７が収納されている。ケーシングＳ１０は、基部材１に固定されている。
【００２８】
（係合部材５の説明）
係合部材５は、この例では、樹脂製の凸形状もしくは爪形状をなす。開閉部材２には、係合凹部２０が設けられている。係合部材５は、図２（Ａ）、図４（Ａ）に示すように、閉状態の開閉部材２の係合凹部２０の縁に係合して開閉部材２を弾性部材４の弾性力に抗して閉状態に維持するものである。
【００２９】
（運動変換伝達部材６の説明）
運動変換伝達部材６は、回転軸６０と、回転軸６０に固定されているギア（歯車）６１と、からなる。回転軸６０の両端（上下両端）は、ケーシングＳ１０に軸受など（図示せず）を介して回転可能に軸支されている。回転軸６０の回転中心線（以下、「軸心」と称する）Ｏは、上下方向をなし、左右方向の隙間Ｋに対して垂直もしくはほぼ垂直である。
【００３０】
ギア６１には、カードＣ１の係合部Ｃ１０に係合する係合部としての歯６２が、回転方向（軸心Ｏを中心とする円周方向）に複数個、この例では、１２個設けられている。運動変換伝達部材６の係合部、すなわち、ギア６１の歯６２は、カードＣ１の平面に対して垂直もしくはほぼ垂直である軸心Ｏから径方向に凹凸形状に設けられている。
【００３１】
運動変換伝達部材６の回転軸６０およびギア６１は、カードＣ１の直線運動Ｘを回転運動Ｙ（図３、図４（Ａ）中の矢印を参照）に変換する。また、運動変換伝達部材６の回転軸６０およびギア６１は、回転運動Ｙを解除部材７に伝達する。
【００３２】
カードＣ１の係合部Ｃ１０の個数と運動変換伝達部材６の係合部すなわちギア６１の歯６２の個数との比は、任意である。なお、この例では、カードＣ１の係合部Ｃ１０の個数が５個であり、ギア６１の歯６２の個数が１２個であり、その比は、５対１２（５：１２）である。
【００３３】
これにより、カードＣ１の直線運動Ｘを２回と５分の２（２／５）行うことにより、運動変換伝達部材６のギア６１の回転運動Ｙを１回転させることとなる。すなわち、カードＣ１の１個の係合部Ｃ１０の直線運動Ｘにより、運動変換伝達部材６のギア６１が約３０°の回転運動Ｙをする。
【００３４】
（解除部材７の説明）
解除部材７は、この例では、円板形状をなしている。解除部材７は、運動変換伝達部材６の回転軸６０に一体に固定されている。解除部材７には、係合部材５が一体に固定されている。
【００３５】
解除部材７は、運動変換伝達部材６の回転軸６０から伝達された回転運動Ｙにより、係合部材５の係合状態（開閉部材２の係合凹部２０の縁との係合状態）を、図４（Ｂ）に示すように、解除して、閉状態の開閉部材２を弾性部材４の弾性力で開状態とする。
【００３６】
ここで、運動変換伝達部材６の回転軸６０およびギア６１と解除部材７との間に、回転軸６０およびギア６１からの回転運動Ｙを一方向に解除部材７に伝達する回転運動一方向伝達部材を、設けても良い。
【００３７】
（実施形態１の作用の説明）
この実施形態１にかかるカードスイッチ、変形玩具は、以上のごとき構成からなり、以下、その作用について説明する。
【００３８】
図１（Ａ）、図２（Ａ）、図４（Ａ）に示すように、開閉部材２が基部材１に対して閉状態のときは、開閉部材２が基部材１の上面開口部を覆っている。このとき、係合部材５は、閉状態の開閉部材２の係合凹部２０の縁に係合していて、開閉部材２は、弾性部材４の弾性力に抗して閉状態が維持されている。
【００３９】
次に、閉状態の開閉部材２と基部材１との間の隙間Ｋに、カードＣ１の係合部Ｃ１０側の辺を、基部材１、開閉部材２の左側から右側に直線運動Ｘさせる。すると、カードＣ１の係合部Ｃ１０が運動変換伝達部材６のギア６１の歯６２に係合する（図２（Ａ）、図３を参照）。
【００４０】
この係合により、カードＣ１の直線運動Ｘが運動変換伝達部材６のギア６１および回転軸６０の回転運動Ｙに変換される。この回転運動Ｙは、運動変換伝達部材６の回転軸６０に一体に固定されている解除部材７に伝達される。これにより、解除部材７は、軸心Ｏ回りに回転する。
【００４１】
この解除部材７の回転に伴って、解除部材７に一体に固定されている係合部材５も、同様に、軸心Ｏ回りに回転する（図４（Ａ）を参照）。この結果、図４（Ｂ）に示すように、係合部材５は、開閉部材２の係合凹部２０の縁から外れて、係合部材５の係合状態は、解除される。
【００４２】
そして、閉状態の開閉部材２は、弾性部材４の弾性力により、図１（Ｂ）、図２（Ｂ）に示すように、開状態となる。これにより、基部材１の上面開口部は、開放される。
【００４３】
開状態の開閉部材２を基部材１に対して弾性部材４の弾性力に抗して閉じて、係合部材５を開閉部材２の係合凹部２０の縁に係合させる。これにより、開閉部材２は、基部材１に対して弾性部材４の弾性力に抗して閉状態となる。
【００４４】
なお、係合部材５を開閉部材２の係合凹部２０の縁に係合させる手段としては、手動でも良いし、自動でも良い。自動の場合は、たとえば、係合部材５を開閉部材２の係合凹部２０の縁に係合させる方向に常時付勢させる係合用の弾性部材を設ける。
【００４５】
そして、自動の場合において、開閉部材２を開けるときは、カードＣ１の直線運動Ｘにより、解除部材７が係合用の弾性部材の弾性力に抗して係合部材５を開閉部材２の係合凹部２０の縁から外して係合部材５の係合状態を解除するものである。
【００４６】
（実施形態１の効果の説明）
この実施形態１にかかるカードスイッチ、変形玩具は、以上のごとき構成および作用からなり、以下、その効果について説明する。
【００４７】
この実施形態１にかかるカードスイッチ、変形玩具は、カードＣ１の直線運動Ｘにより、スイッチ機構Ｓ１を介して、係合部材５の係合状態が解除されて、閉状態の開閉部材２が開状態となる。この結果、この実施形態１にかかるカードスイッチ、変形玩具は、カードＣ１の直線運動Ｘにより、ロックを解除することができるカードスイッチを提供することができる。
【００４８】
また、この実施形態１にかかるカードスイッチ、変形玩具は、カードＣ１の直線運動Ｘにより、スイッチ機構Ｓ１を介して、係合部材５の係合状態が解除されて、閉状態の開閉部材２が弾性部材４の弾性力で自動的に開状態となる。この結果、この実施形態１にかかるカードスイッチ、変形玩具は、カードＣ１の直線運動Ｘ１により、玩具を変形させる面白みがある変形玩具を提供することができる。
【００４９】
特に、この実施形態１にかかるカードスイッチ、変形玩具は、カードＣ１の直線方向に設けられている係合部Ｃ１０と、運動変換伝達部材６のギア６１の回転方向に設けられている係合部としての歯６２と、が相互に係合するので、カードＣ１の直線運動Ｘが運動変換伝達部材６のギア６１の回転運動Ｙとして確実に変換される。このために、この実施形態１にかかるカードスイッチ、変形玩具は、確実に変換された回転運動Ｙにより、ロックを確実に解除することができ、また、玩具を確実に変形させることができる。
【００５０】
この実施形態１にかかるカードスイッチ、変形玩具は、カードＣ１の係合部Ｃ１０の個数とギア６１の歯６２の個数との比を、任意に変更することができる。この結果、この実施形態１にかかるカードスイッチ、変形玩具は、カードＣ１の直線運動Ｘ量による運動変換伝達部材６のギア６１の回転運動Ｙ量（回転角度）を、任意に設定することができる。これにより、この実施形態１にかかるカードスイッチ、変形玩具は、カードＣ１の直線運動Ｘによる係合部材５の係合状態の解除の難易度を、調整することができ、さらに面白みが増す。
【００５１】
例えば、カードＣ１の１回もしくは１回未満の直線運動Ｘにより、ギア６１の所定の回転角度の回転運動Ｙを介して、係合部材５の係合状態が解除される場合と、カードＣ１の複数回の直線運動Ｘにより、ギア６１の所定の回転角度の回転運動Ｙを介して、係合部材５の係合状態が解除される場合と、を比較してみる。１回もしくは１回未満の直線運動Ｘによる係合状態の解除は、複数回の直線運動Ｘによる係合状態の解除と比較して、容易である。逆に、複数回の直線運動Ｘによる係合状態の解除は、１回もしくは１回未満の直線運動Ｘによる係合状態の解除と比較して、難しい。
【００５２】
この実施形態１にかかるカードスイッチ、変形玩具は、カードＣ１の係合部Ｃ１０がカードＣ１の平面方向に凹凸形状に設けられていて、一方、ギア６１の歯６２がカードＣ１の平面に対して垂直もしくはほぼ垂直である軸心Ｏから径方向に凹凸形状に設けられている。この結果、この実施形態１にかかるカードスイッチ、変形玩具は、カードＣ１の係合部Ｃ１０の方向性とギア６１の歯６２の方向性とが一致しなければ、カードＣ１の直線運動Ｘがギア６１の回転運動Ｙに変換されない。
【００５３】
このために、この実施形態１にかかるカードスイッチ、変形玩具は、カードＣ１と異なるカードを使用した場合ギア６１を回転させることができず、また、カードＣ１を異なるギアに使用した場合異なるギアを回転させることができない。このように、この実施形態１にかかるカードスイッチ、変形玩具は、専用のカードＣ１と専用のギア６１とを使用するものである。これにより、この実施形態１にかかるカードスイッチ、変形玩具は、十分なスイッチ機能を備えることとなり、この実施形態１にかかるカードスイッチを使用する玩具やアクセサリーなど、また、この実施形態１にかかる変形玩具は、十分なセキュリティ（保護性）を保持することができる。
【００５４】
（実施形態１の変形例１の説明）
図５は、この実施形態１にかかるカードスイッチ、変形玩具の変形例１を示す説明面図である。図５中、図１〜図４と同符号は、同一の物を示す。
【００５５】
前記の実施形態１にかかるカードスイッチ、変形玩具の基部材１および開閉部材２は、箱形状および蓋形状をなすものである。これに対して、この変形例１の基部材１Ａおよび開閉部材２Ａは、それぞれ、半球形状をなすものである。
【００５６】
前記の実施形態１にかかるカードスイッチ、変形玩具のカードＣ１は、いわゆる、ギザギザタイプである。これに対して、この変形例１のカードＣ２は、いわゆる、ラックタイプである。カードＣ２の係合部Ｃ２０は、カードＣ２の平面に対して垂直方向にほぼ三角形の凹凸形状に複数個設けられている。
【００５７】
ギア６１の歯６２は、カードＣ２の平面に対して平行もしくはほぼ平行でありかつカードＣ２の直線運動Ｘの方向に対して垂直もしくはほぼ垂直である軸心Ｏから径方向に凹凸形状に設けられている。
【００５８】
この実施形態１にかかるカードスイッチ、変形玩具の変形例１は、前記の実施形態１にかかるカードスイッチ、変形玩具と、ほぼ同様の作用効果を達成することができる。
【００５９】
（実施形態１の変形例２の説明）
図６は、この実施形態１にかかるカードスイッチ、変形玩具の変形例２を示す説明面図である。図６中、図１〜図５と同符号は、同一の物を示す。
【００６０】
前記の実施形態１にかかるカードスイッチ、変形玩具の基部材１および開閉部材２は、箱形状および蓋形状をなすものである。これに対して、この変形例２の基部材１Ｂおよび開閉部材２Ｂは、それぞれ、前記の変形例１の基部材１Ａおよび開閉部材２Ａと、ほぼ同様に、半球形状をなすものである。
【００６１】
前記の実施形態１にかかるカードスイッチ、変形玩具のカードＣ１は、いわゆる、ギザギザタイプであり、前記の変形例１のカードＣ２は、いわゆる、ラックタイプである。これに対して、この変形例２のカードＣ３は、いわゆる、フィルムタイプである。カードＣ３の係合部Ｃ３０は、カードＣ２の平面に対して垂直方向にほぼ四角形の透孔形状に複数個開設されている。
【００６２】
この変形例２のカードＣ３の厚さは、前記の変形例１のカードＣ２の厚さよりも薄い。このために、この変形例２の基部材１Ｂと開閉部材２Ｂとの間の隙間Ｋは、前記の変形例１の基部材１Ａと開閉部材２Ａとの間の隙間Ｋよりも薄くすることができる。
【００６３】
ギア６１の歯６２は、カードＣ２の平面に対して平行もしくはほぼ平行でありかつカードＣ２の直線運動Ｘの方向に対して垂直もしくはほぼ垂直である軸心Ｏから径方向に凹凸形状に設けられている。
【００６４】
この実施形態１にかかるカードスイッチ、変形玩具の変形例２は、前記の実施形態１にかかるカードスイッチ、変形玩具、および、変形例１と、ほぼ同様の作用効果を達成することができる。
【００６５】
（カードＣ１、Ｃ２、Ｃ３とギア６１の説明）
実施形態１のカードＣ１の係合部Ｃ１０は、変形例１のギア６１の歯６２および変形例２のギア６１の歯６２には、係合できない。
【００６６】
また、変形例１のカードＣ２の係合部Ｃ２０は、実施形態１のギア６１の歯６２には、係合できない。しかも、変形例１のカードＣ２は、変形例２の基部材１Ｂと開閉部材２Ｂとの間の隙間Ｋに挿入できない。このために、変形例１のカードＣ２の係合部Ｃ２０は、変形例２のギア６１の歯６２には、係合できない。
【００６７】
さらに、変形例２のカードＣ３の係合部Ｃ３０は、実施形態１のギア６１の歯６２には、係合できない。しかも、変形例２のカードＣ３の厚さは、変形例１のカードＣ２の厚さよりも薄いので、変形例１の基部材１あと開閉部材２Ａとの間の隙間Ｋに挿入できるが、変形例１のギア６１の歯６２には、確実に係合することができない。
【００６８】
このように、実施形態１のカードＣ１と実施形態１のギア６１とは、また、変形例１のカードＣ２と変形例１のギア６１とは、さらに、変形例２のカードＣ３と変形例１のギア６１とは、それぞれ、専用である。これにより、カードＣ１、Ｃ２、Ｃ３とギア６１とは、十分なスイッチ機能を備えることとなり、カードスイッチとして、また、玩具やアクセサリーなど、さらに、変形玩具において、十分なセキュリティ（保護性）を保持することができる。
【００６９】
（実施形態２の構成の説明）
図７〜図１４は、この発明にかかるカードスイッチ、変形玩具の実施形態２を示す。図７〜図１４中、図１〜図６と同符号は、同一の物を示す。以下、この実施形態２の構成について説明する。
【００７０】
この実施形態２にかかるカードスイッチ、変形玩具は、図７に示す球形形状の物体あるいは卵から、図８に示す翼竜などを模した翼竜ロボットに変形する例である。
【００７１】
この実施形態２にかかるカードスイッチ、変形玩具は、図９に示すように、カードＣ２Ｃと、基部材１ＣＬ、１ＣＲと、開閉部材２ＣＬ、２ＣＲと、スイッチ機構Ｓ１Ｃと、取付部材３ＣＬ、３ＣＲと、弾性部材４ＣＬ、４ＣＲと、補助開閉部材と、補助取付部材と、補助弾性部材と、係止部と、を備えるものである。
【００７２】
（カードＣ２Ｃの説明）
カードＣ２Ｃは、図７〜図９に示すように、前記の実施形態１の変形例１のラックタイプのカードＣ２を基本とするものである。すなわち、カードＣ２Ｃは、ラック形状の係合部Ｃ２０がカードＣ２Ｃの１長辺全体に亘って複数個設けられている。
【００７３】
（基部材１ＣＬ、１ＣＲ、開閉部材２ＣＬ、２ＣＲの説明）
基部材１ＣＬ、１ＣＲは、図７〜図９に示すように、この例では、翼竜ロボットの胴部を模した左右の胴部である。左右の胴部（以下、単に「胴部」と称する）１ＣＬ、１ＣＲは、スクリュ１０Ｃにより相互に一体に固定されている。胴部１ＣＬ、１ＣＲの内部中には、収納用の空間１１Ｃが形成されている。
【００７４】
開閉部材２ＣＬ、２ＣＲは、図７〜図９に示すように、この例では、翼竜ロボットの主翼部を模した左右の主翼部である。左右の主翼部（以下、単に「主翼部」と称する）２ＣＬ、２ＣＲは、胴部１ＣＬ、１ＣＲに、左右の取付部材（以下、単に「取付部材」と称する）３ＣＬ、３ＣＲ（この例では、回転軸もしくはピンなど）により、それぞれ、開閉（回転）可能に取り付けられている。胴部１ＣＬ、１ＣＲおよび主翼部２ＣＬ、２ＣＲの前部の中央部には、隙間ＫＣが左右方向に設けられている。
【００７５】
胴部１ＣＬ、１ＣＲと主翼部２ＣＬ、２ＣＲとの間には、左右の弾性部材（以下、単に「弾性部材」と称する）４ＣＬ、４ＣＲ（この例では、トーションスプリング、ねじりばね、ねじりコイルばね）がそれぞれ介在されている。この結果、主翼部２ＣＬ、２ＣＲは、胴部１ＣＬ、１ＣＲに対して、閉状態（図７に示すロック状態、変形前の状態）から開状態（図８に示す解除状態、変形後の状態）に付勢されている。すなわち、主翼部２ＣＬ、２ＣＲは、図１２中の矢印Ｚ方向にそれぞれ付勢されている。
【００７６】
胴部１ＣＬ、１ＣＲの一部の背部や腹部の外面、および、主翼部２ＣＬ、２ＣＲの外面は、それぞれ、球形の一部、すなわち、卵の殻の一部の形状をなす。
【００７７】
（スイッチ機構Ｓ１Ｃの説明）
スイッチ機構Ｓ１Ｃは、胴部１ＣＬ、１ＣＲの空間１１Ｃ中に収納されている。スイッチ機構Ｓ１Ｃは、図９に示すように、係合部材５Ｃと、運動変換伝達部材６Ｃと、解除部材７Ｃと、回転運動一方向伝達部材８Ｃ（図９には図示されていない）、８０Ｃと、を有するものである。
【００７８】
（係合部材５Ｃの説明）
係合部材５Ｃは、図９、図１０、図１２に示すように、前板５０Ｃと、底板５１Ｃと、後板５２Ｃと、から構成されている。係合部材５Ｃは、胴部１ＣＬ、１ＣＲの空間１１Ｃ中に前後方向に移動可能に収納されている。
【００７９】
係合部材５Ｃの後板５２Ｃと胴部１ＣＬ、１ＣＲとの間には、係合用弾性部材（この例では、圧縮コイルスプリング）１２Ｃが介在されている。この結果、係合部材５Ｃは、胴部１ＣＬ、１ＣＲに対して、後ろから前に図９、図１０、図１２中の矢印Ｆ１方向に常時付勢されている。
【００８０】
図１２に示すように、係合部材５Ｃの前板５０Ｃの左右には、係合爪５３ＣＬ、５３ＣＲがそれぞれ設けられている。一方、主翼部２ＣＬ、２ＣＲには、係合爪２０ＣＬ、２０ＣＲがそれぞれ設けられている。
【００８１】
係合部材５Ｃの係合爪５３ＣＬ、５３ＣＲは、主翼部２ＣＬ、２ＣＲの係合爪２０ＣＬ、２０ＣＲに、係合用弾性部材１２Ｃの弾性力により、弾性係合している。これにより、係合部材５Ｃは、胴部１ＣＬ、１ＣＲに対して、閉状態の主翼部２ＣＬ、２ＣＲを、弾性部材４ＣＬ、４ＣＲの弾性力に抗して閉状態に維持する。
【００８２】
（運動変換伝達部材６Ｃの説明）
運動変換伝達部材６Ｃは、図９、図１０に示すように、第１ギア（歯車）６１Ｃと、第２ギア（歯車）６２Ｃと、第３ギア（歯車）６３Ｃと、回転軸６４Ｃと、からなる。
【００８３】
第１ギア６１Ｃと第２ギア６２Ｃとは、回転軸６４Ｃの両端（前後両端）にそれぞれ固定されている。回転軸６４Ｃの一端（前端）と中間部分とは、胴部１ＣＬ、１ＣＲに軸受などを介して回転可能に軸支されている。回転軸６４Ｃの回転中心線（以下、「軸心」と称する）ＯＣは、前後方向をなし、左右方向の隙間ＫＣに対して垂直もしくはほぼ垂直である。
【００８４】
第３ギア６３Ｃは、解除部材７Ｃの回転体７１Ｃに、支持軸７０Ｃの回転中心線（以下、「軸心」と称する）Ｏ１Ｃ回りに回転可能に支持されている。第３ギア６３Ｃは、一端（上端）にクラウン状（冠状）の歯を有するクラウンギア（冠歯車）である。第３ギア６３Ｃは、スパーギア（平歯車）である第２ギア６２Ｃと噛み合っている。第３ギア６３Ｃの軸心Ｏ１Ｃと第２ギア６２Ｃの軸心ＯＣとは、直交もしくはほぼ直交する。
【００８５】
第１ギア６１Ｃには、カードＣ２Ｃの係合部Ｃ２０に係合する係合部としての歯６０Ｃが、回転方向（軸心ＯＣを中心とする円周方向）に複数個設けられている。運動変換伝達部材６Ｃの係合部、すなわち、第１ギア６１Ｃの歯６０Ｃは、カードＣ２Ｃの平面に対して平行もしくはほぼ平行でありかつカードＣ２Ｃの直線運動Ｘに対して垂直もしくはほぼ垂直である軸心ＯＣから径方向に凹凸形状に設けられている。カードＣ２Ｃの係合部Ｃ２０の個数と運動変換伝達部材６Ｃの係合部すなわち第１ギア６１Ｃの歯６０Ｃの個数との比は、任意である。
【００８６】
運動変換伝達部材６Ｃの回転軸６４Ｃおよび第１ギア６１Ｃは、カードＣ２Ｃの直線運動Ｘを回転運動Ｙ（図９、図１０中の矢印を参照）に変換する。また、運動変換伝達部材６Ｃの回転軸６４Ｃおよび第１ギア６１Ｃは、回転運動Ｙを、第２ギア６２Ｃ、第３ギア６３Ｃおよび回転運動一方向伝達部材８Ｃ、８０Ｃを介して、解除部材７Ｃに伝達する。ここで、回転運動Ｙは、第２ギア６２Ｃから第３ギア６３Ｃに伝達される際に、第２ギア６２Ｃの軸心ＯＣ回りの回転運動Ｙから第３ギア６３Ｃの軸心Ｏ１Ｃ回りの回転運動Ｙに、直角もしくはほぼ直角に変更される。
【００８７】
（解除部材７Ｃの説明）
解除部材７Ｃは、図９、図１０に示すように、支持軸７０Ｃと、回転体７１Ｃと、押圧用弾性部材（この例では、圧縮コイルスプリング）７２Ｃと、からなる。回転体７１Ｃは、円筒形状をなす。回転体７１Ｃの一端（下端）の外周面の一部には、解除凸部７３Ｃが一体に突設されている。
【００８８】
支持軸７０Ｃの両端（上下両端）は、胴部１ＣＬ、１ＣＲに固定されている。回転体７１Ｃは、支持軸７０Ｃに回転可能に外側から嵌合されている。押圧用弾性部材７２Ｃは、支持軸７０Ｃに外側から嵌合されていて、かつ、回転体７１Ｃの一端面（上端面）と胴部１ＣＬ、１ＣＲとの間において介在されている。これにより、回転体７１Ｃは、胴部１ＣＬ、１ＣＲに回転可能に支持されている。
【００８９】
回転体７１Ｃには、第３ギア６３Ｃが回転可能に支持されている。支持軸７０Ｃの軸心Ｏ１Ｃは、上下方向をなす。このために、支持軸７０Ｃの軸心Ｏ１Ｃと回転軸６４Ｃの軸心ＯＣとは、直交もしくはほぼ直交する。これにより、第３ギア６３Ｃの軸心Ｏ１Ｃと第２ギア６２Ｃの軸心ＯＣとは、直交もしくはほぼ直交する。
【００９０】
解除部材７Ｃは、運動変換伝達部材６Ｃの回転軸６４Ｃから回転運動一方向伝達部材８Ｃ、８０Ｃを介して伝達された回転運動Ｙにより、係合部材５Ｃの係合状態（係合爪５３ＣＬ、５３ＣＲと主翼部２ＣＬ、２ＣＲの係合爪２０ＣＬ、２０ＣＲとの係合状態）を解除して、閉状態の主翼部２ＣＬ、２ＣＲを弾性部材４ＣＬ、４ＣＲの弾性力で開状態とする。
【００９１】
（回転運動一方向伝達部材８Ｃ、８０Ｃの説明）
回転運動一方向伝達部材８Ｃ、８０Ｃは、図９〜図１１に示すように、ほぼ半円形状の複数個の凹凸８Ｃと、ほぼ弓形状の２本の弾性腕部８０Ｃと、からなる。
【００９２】
複数個の凹凸８Ｃは、第３ギア６３Ｃの他端面（下端面）に軸心Ｏ１Ｃを中心とする円周方向に連続して設けられている。２本の弾性腕部８０Ｃの一端は、回転体７１Ｃの中間部の外周面に一体に固定されている。２本の弾性腕部８０Ｃの他端は、ほぼ円形形状をなし、複数個の凹凸８Ｃのうち、相対向する２個の凹部にそれぞれ弾性嵌合する。
【００９３】
凹凸８Ｃと弾性腕部８０Ｃとの弾性嵌合は、第３ギア６３の回転方向により、脱着する。すなわち、第３ギア６３が図１１（Ｃ）に示す時計方向に回転する（回転運動Ｙ）ときは、凹凸８Ｃと弾性腕部８０Ｃとの弾性嵌合は、外れない。このために、回転体７１Ｃは、第３ギア６３と共に、図１１（Ｃ）に示す時計方向に回転する（回転運動Ｙ）。これにより、運動変換伝達部材６Ｃの回転運動Ｙが、回転運動一方向伝達部材８Ｃ、８０Ｃを介して、解除部材７Ｃに伝達される。
【００９４】
一方、第３ギア６３が図１１（Ｃ）に示す反時計方向（矢印Ｙと逆方向）に回転するときは、凹凸８Ｃと弾性腕部８０Ｃとの弾性嵌合は、外れる。このために、第３ギア６３のみが反時計方向に回転し、回転体７１Ｃは、回転せずに停止した状態（空回りの状態）である。
【００９５】
（第１補助開閉部材９１Ｃ、第１補助取付部材９１０Ｃ、第１補助弾性部材９１１Ｃ、第１係止部９１２Ｃの説明）
第１補助開閉部材９１Ｃは、図７〜図９、図１３、図１４に示すように、この例では、翼竜ロボットの首部を模した首部である。首部９１Ｃは、一端部に対して、他端部が二股形状に分岐している。首部９１Ｃの一端部は、胴部１ＣＬ、１ＣＲに、第１補助取付部材９１０Ｃ（この例では、回転軸もしくはピンなど）により、開閉（回転）可能に取り付けられている。
【００９６】
胴部１ＣＬ、１ＣＲと首部９１Ｃとの間には、第１補助弾性部材９１１Ｃ（この例では、トーションスプリング、ねじりばね、ねじりコイルばね）が介在されている。この結果、首部９１Ｃは、胴部１ＣＬ、１ＣＲに対して、閉状態（図７、図１３、図１４に示すロック状態、変形前の状態）から開状態（図８に示す解除状態、変形後の状態）に付勢されている。
【００９７】
第１係止部９１２Ｃは、首部９１Ｃの左右に設けられている。第１係止部９１２Ｃは、主翼部２ＣＬ、２ＣＲが閉状態のときには、主翼部２ＣＬ、２ＣＲに係止されていて、首部９１Ｃを第１補助弾性部材９１１Ｃの弾性力に抗して閉状態に維持する。第１係止部９１２Ｃは、主翼部２ＣＬ、２ＣＲが開状態のときには、主翼部２ＣＬ、２ＣＲとの係止状態が解除されて、閉状態の首部９１Ｃを第１補助弾性部材９１１Ｃの弾性力で開状態とする。
【００９８】
（回転部９０Ｃの説明）
首部９１Ｃの中間部には、回転部９０Ｃが回転軸部９００Ｃにより回転可能に取り付けられている。回転部９０Ｃは、円筒形状をなしている。回転部９０Ｃの一端部（左端部）には、歯部（ギア部）９０１Ｃが設けられている。回転部９０Ｃの他端部（右端部）には、印（マーク）９０２Ｃが設けられている。
【００９９】
（第２補助開閉部材９２Ｃ、第２補助取付部材９２０Ｃ、第２補助弾性部材９２１Ｃ、第２係止部９２２Ｃの説明）
第２補助開閉部材９２Ｃは、図７〜図９、図１３、図１４に示すように、この例では、翼竜ロボットの頭部を模した頭部である。頭部９２Ｃの一端部は、第１補助開閉部材としての首部９１Ｃの他端部に、第２補助取付部材９２０Ｃ（この例では、回転軸もしくはピンなど）により、開閉（回転）可能に取り付けられている。
【０１００】
首部９１Ｃと頭部９２Ｃの間には、第２補助弾性部材９２１Ｃ（この例では、トーションスプリング、ねじりばね、ねじりコイルばね）が介在されている。この結果、頭部９２Ｃは、首部９１Ｃに対して、閉状態（図７、図１３、図１４に示すロック状態、変形前の状態）から開状態（図８に示す解除状態、変形後の状態）に付勢されている。
【０１０１】
第２係止部９２２Ｃは、頭部９２Ｃの一端面（上端面）に設けられている。第２係止部９２２Ｃは、主翼部２ＣＬ、２ＣＲが閉状態のときには、胴部１ＣＬ、１ＣＲに係止されていて、頭部９２Ｃを第２補助弾性部材９２１Ｃの弾性力に抗して閉状態に維持する。第２係止部９２２Ｃは、主翼部２ＣＬ、２ＣＲが開状態のときには、胴部１ＣＬ、１ＣＲとの係止状態が解除されて、閉状態の頭部９２Ｃを第２補助弾性部材９２１Ｃの弾性力で開状態とする。
【０１０２】
頭部９２Ｃの他端面（下端面）には、小凸部（図示せず）が一体に設けられている。小凸部は、頭部９２Ｃが閉状態のときに、回転部９０Ｃの歯部９０１Ｃに係合している。小凸部は、頭部９２Ｃが閉状態から開状態に移動（回転）するときに、歯部９０１Ｃを介して、回転部９０Ｃを回転させるものである。このとき、回転部９０Ｃの印９０２Ｃが首部９１Ｃの二股形状の他端部の開口部に表れたり、開口部から隠れたりする。
【０１０３】
（第３補助開閉部材９３ＣＬ、９３ＣＲ、第３補助取付部材９３０ＣＬ、９３０ＣＲ、第３補助弾性部材９３１ＣＬ、９３１ＣＲ、第３係止部９３２ＣＬ、９３２ＣＲの説明）
第３補助開閉部材９３ＣＬ、９３ＣＲは、図７〜図９、図１４に示すように、この例では、翼竜ロボットの補助翼部を模した左右の補助翼部である。左右の補助翼部（以下、単に「補助翼部」と称する）９３ＣＬ、９３ＣＲは、それぞれ、球形の一部、すなわち、卵の殻の一部の形状をなす。補助翼部９３ＣＬ、９３ＣＲの第１取付部９３３ＣＬ、９３３ＣＲは、胴部１ＣＬ、１ＣＲに、第３補助取付部材９３０ＣＬ、９３０ＣＲ（この例では、回転軸もしくはピンなど）により、開閉（回転）可能に取り付けられている。
【０１０４】
胴部１ＣＬ、１ＣＲと補助翼部９３ＣＬ、９３ＣＲとの間には、第３補助弾性部材９３１ＣＬ、９３１ＣＲ（この例では、トーションスプリング、ねじりばね、ねじりコイルばね）が介在されている。この結果、補助翼部９３ＣＬ、９３ＣＲは、胴部１ＣＬ、１ＣＲに対して、閉状態（図７、図１４に示すロック状態、変形前の状態）から開状態（図８に示す解除状態、変形後の状態）に付勢されている。
【０１０５】
第３係止部９３２ＣＬ、９３２ＣＲは、補助翼部９３ＣＬ、９３ＣＲにそれぞれ設けられている。第３係止部９３２ＣＬ、９３２ＣＲは、主翼部２ＣＬ、２ＣＲが閉状態のときには、主翼部２ＣＬ、２ＣＲに係止されていて、補助翼部９３ＣＬ、９３ＣＲを第３補助弾性部材９３１ＣＬ、９３１ＣＲの弾性力に抗して閉状態に維持する。第３係止部９３２ＣＬ、９３２ＣＲは、主翼部２ＣＬ、２ＣＲが開状態のときには、主翼部２ＣＬ、２ＣＲとの係止状態が解除されて、閉状態の補助翼部９３ＣＬ、９３ＣＲを第３補助弾性部材９３１ＣＬ、９３１ＣＲの弾性力で開状態とする。
【０１０６】
（第４補助開閉部材９４ＣＬ、９４ＣＲ、第４補助取付部材９４０ＣＬ、９４０ＣＲ、第４補助弾性部材９４１ＣＬ、９４１ＣＲ、第４係止部９４２ＣＬ、９４２ＣＲの説明）
第４補助開閉部材９４ＣＬ、９４ＣＲは、図８、図９、図１４に示すように、この例では、翼竜ロボットの足部を模した左右の足部である。左右の足部（以下、単に「足部」と称する）９４ＣＬ、９４ＣＲは、第３補助開閉部材としての補助翼部９３ＣＬ、９３ＣＲの第２取付部９３４ＣＬ、９３４ＣＲに、第４補助取付部材９４０ＣＬ、９４０ＣＲ（この例では、回転軸もしくはピンなど）により、開閉（回転）可能に取り付けられている。
【０１０７】
補助翼部９３ＣＬ、９３ＣＲと足部９４ＣＬ、９４ＣＲの間には、第４補助弾性部材９４１ＣＬ、９４１ＣＲ（この例では、トーションスプリング、ねじりばね、ねじりコイルばね）が介在されている。この結果、足部９４ＣＬ、９４ＣＲは、補助翼部９３ＣＬ、９３ＣＲに対して、閉状態（図１４に示すロック状態、変形前の状態）から開状態（図８に示す解除状態、変形後の状態）に付勢されている。
【０１０８】
第４係止部９４２ＣＬ、９４２ＣＲは、足部９４ＣＬ、９４ＣＲに設けられている。第４係止部９４２ＣＬ、９４２ＣＲは、主翼部２ＣＬ、２ＣＲが閉状態のときには、胴部１ＣＬ、１ＣＲに係止されていて、足部９４ＣＬ、９４ＣＲを第４補助弾性部材９４１ＣＬ、９４１ＣＲの弾性力に抗して閉状態に維持する。第４係止部９４２ＣＬ、９４２ＣＲは、主翼部２ＣＬ、２ＣＲが開状態のときには、胴部１ＣＬ、１ＣＲとの係止状態が解除されて、閉状態の足部９４ＣＬ、９４ＣＲを第４補助弾性部材９４１ＣＬ、９４１ＣＲの弾性力で開状態とする。
【０１０９】
（第５補助開閉部材９５Ｃ、第５補助取付部材９５０Ｃ、第５補助弾性部材９５１Ｃ、第５係止部９５２Ｃの説明）
第５補助開閉部材９５Ｃは、図９、図１３に示すように、この例では、連結部である。連結部９５Ｃの一端部は、胴部１ＣＬ、１ＣＲに、第５補助取付部材９５０Ｃ（この例では、回転軸もしくはピンなど）により、開閉（回転）可能に取り付けられている。
【０１１０】
胴部１ＣＬ、１ＣＲと連結部９５Ｃとの間には、第５補助弾性部材９５１Ｃ（この例では、トーションスプリング、ねじりばね、ねじりコイルばね）が介在されている。この結果、連結部９５Ｃは、胴部１ＣＬ、１ＣＲに対して、図１３中の矢印Ｆ２方向に、すなわち、閉状態（図１３に示すロック状態、変形前の状態）から開状態（図示せず）に付勢されている。
【０１１１】
第５係止部９５２Ｃは、連結部９５Ｃに設けられている。第５係止部９５２Ｃは、主翼部２ＣＬ、２ＣＲが開状態のときに、胴部１ＣＬ、１ＣＲに係止されていて、連結部９５Ｃを開状態に維持する。
【０１１２】
（第６補助開閉部材９６Ｃ、第６補助取付部材９６０Ｃ、第６補助弾性部材９６１Ｃ、第６係止部９６２Ｃの説明）
第６補助開閉部材９６Ｃは、図８、図９、図１３に示すように、この例では、翼竜ロボットの尾翼部を模した尾翼部である。尾翼部９６Ｃは、球形の一部、すなわち、卵の殻の一部の形状をなす。尾翼部９６Ｃの一端部は、第５補助開閉部材としての連結部９５Ｃの他端部に、第６補助取付部材９６０Ｃ（この例では、回転軸もしくはピンなど）により、開閉（回転）可能に取り付けられている。
【０１１３】
連結部９５Ｃと尾翼部９６Ｃとの間には、第６補助弾性部材９６１Ｃ（この例では、トーションスプリング、ねじりばね、ねじりコイルばね）が介在されている。この結果、尾翼部９６Ｃは、連結部９５Ｃに対して、閉状態（図１３に示すロック状態、変形前の状態）から開状態（図８に示す解除状態、変形後の状態）に付勢されている。
【０１１４】
第６係止部９６２Ｃは、尾翼部９６Ｃに設けられている。第６係止部９６２Ｃは、主翼部２ＣＬ、２ＣＲが閉状態のときには、補助翼部９３ＣＬ、９３ＣＲに係止されていて、尾翼部９６Ｃを第６補助弾性部材９６１Ｃの弾性力に抗して閉状態に維持し、かつ、連結部９５Ｃを第５補助弾性部材９５１Ｃの弾性力に抗して閉状態に維持する。第６係止部９６２Ｃは、主翼部２ＣＬ、２ＣＲが開状態のときには、補助翼部９３ＣＬ、９３ＣＲとの係止状態が解除されて、閉状態の尾翼部９６Ｃを第６補助弾性部材９６１Ｃの弾性力で開状態とし、かつ、連結部９５Ｃを第５補助弾性部材９５１Ｃの弾性力で開状態とする。
【０１１５】
（実施形態２の作用の説明）
この実施形態２にかかるカードスイッチ、変形玩具は、以上のごとき構成からなり、以下、その作用について説明する。
【０１１６】
この実施形態２にかかるカードスイッチ、変形玩具は、図７、図１２〜図１４に示すように、閉状態のとき、球形状すなわち卵形状をなしている。
【０１１７】
このとき、図１２に示すように、係合部材５Ｃは、係合用弾性部材１２Ｃにより、常時矢印Ｆ１方向に付勢されている。係合部材５Ｃの係合爪５３ＣＬ、５３ＣＲは、閉状態の主翼部２ＣＬ、２ＣＲの係合爪２０ＣＬ、２０ＣＲに係合している。これにより、主翼部２ＣＬ、２ＣＲは、弾性部材４ＣＬ、４ＣＲの弾性力に抗して閉状態が維持されている。
【０１１８】
また、図１３、図１４に示すように、閉状態の首部９１Ｃの第１係止部９１２Ｃは、閉状態の主翼部２ＣＬ、２ＣＲに係止している。これにより、首部９１Ｃは、第１補助弾性部材９１１Ｃの弾性力に抗して閉状態が維持されている。
【０１１９】
さらに、図１３、図１４に示すように、閉状態の頭部９２Ｃの第２係止部９２２Ｃは、胴部１ＣＬ、１ＣＲに係止している。これにより、頭部９２Ｃは、第２補助弾性部材９２１Ｃの弾性力に抗して閉状態が維持されている。
【０１２０】
さらにまた、図１４に示すように、閉状態の補助翼部９３ＣＬ、９３ＣＲの第３係止部９３２ＣＬ、９３２ＣＲは、閉状態の主翼部２ＣＬ、２ＣＲに係止している。これにより、補助翼部９３ＣＬ、９３ＣＲは、第３補助弾性部材９３１ＣＬ、９３１ＣＲの弾性力に抗して閉状態が維持されている。
【０１２１】
さらにまた、図１４に示すように、閉状態の足部９４ＣＬ、９４ＣＲの第４係止部９４２ＣＬ、９４２ＣＲは、胴部１ＣＬ、１ＣＲに係止している。これにより、足部９４ＣＬ、９４ＣＲは、第４補助弾性部材９４１ＣＬ、９４１ＣＲの弾性力に抗して閉状態が維持されている。
【０１２２】
さらにまた、図１３に示すように、閉状態の尾翼部９６Ｃの第６係止部９６２Ｃは、閉状態の補助翼部９３ＣＬ、９３ＣＲに係止している。これにより、尾翼部９６Ｃは、第６補助弾性部材９６１Ｃの弾性力に抗して閉状態が維持されている。同じく、連結部９５Ｃは、第５補助弾性部材９５１Ｃの弾性力に抗して閉状態が維持されている。
【０１２３】
前記のようにして、この実施形態２にかかるカードスイッチ、変形玩具は、図７、図１２〜図１４に示すように、閉状態である球形状すなわち卵形状を維持している。
【０１２４】
次に、図７に示すように、胴部１ＣＬ、１ＣＲおよび閉状態の主翼部２ＣＬ、２ＣＲの隙間ＫＣに、カードＣ２Ｃの係合部Ｃ２０側の辺を、位置させる。また、カードＣ２Ｃの係合部Ｃ２０を運動変換伝達部材６Ｃの第１ギア６１Ｃの歯６０Ｃに係合させる。この状態で、カードＣ２Ｃを、閉状態の胴部１ＣＬ、１ＣＲおよび主翼ＣＬ、２ＣＲの右側から左側に直線運動Ｘさせる。
【０１２５】
すると、カードＣ２Ｃの直線運動Ｘが運動変換伝達部材６Ｃの第１ギア６１Ｃ、回転軸６４Ｃ、第２ギア６２Ｃ、および、第３ギア６３Ｃの回転運動Ｙに変換される。このために、第３ギア６３Ｃは、図１１（Ｃ）中の矢印Ｙ方向に回転する。
【０１２６】
同時に、解除部材７Ｃの回転体７１Ｃも、回転運動一方向伝達部材の凹凸８Ｃと弾性腕部８０Ｃとの弾性嵌合を介して、図１１（Ｃ）中の矢印Ｙ方向に回転する。なお、第３ギア６３Ｃが矢印Ｙと逆方向に回転するときは、凹凸８Ｃと弾性腕部８０Ｃとの弾性嵌合が外れて、回転体７１Ｃは、回転しない。すなわち、第３ギア６３Ｃのみが矢印Ｙと逆方向に回転（空回り）する。
【０１２７】
回転体７１Ｃの回転に伴って、回転体７１Ｃと一体の解除凸部７３Ｃが回転して、係合部材５Ｃの後板５２Ｃに当たる。さらに、解除凸部７３Ｃが回転することにより、係合部材５Ｃが、係合用弾性部材１２Ｃの弾性力に抗して、図９、図１２中の矢印Ｆ１と逆方向に移動する。
【０１２８】
これにより、係合部材５Ｃの係合爪５３ＣＬ、５３ＣＲと閉状態の主翼部２ＣＬ、２ＣＲの係合爪２０ＣＬ、２０ＣＲとの係合状態が解除される。この解除がトリガーとなって、閉状態の主翼部２ＣＬ、２ＣＲは、弾性部材４ＣＬ、４ＣＲの弾性力により、開状態となる。
【０１２９】
それに伴って、閉状態の首部９１Ｃの第１係止部９１２Ｃと閉状態の主翼部２ＣＬ、２ＣＲと係止状態が解除される。これにより、首部９１Ｃは、第１補助弾性部材９１１Ｃの弾性力により、開状態となる。
【０１３０】
また、閉状態の頭部９２Ｃの第２係止部９２２Ｃと胴部１ＣＬ、１ＣＲとの係止状態が解除される。これにより、頭部９２Ｃは、第２補助弾性部材９２１Ｃの弾性力により、開状態となる。
【０１３１】
さらに、閉状態の補助翼部９３ＣＬ、９３ＣＲの第３係止部９３２ＣＬ、９３２ＣＲと閉状態の主翼部２ＣＬ、２ＣＲとの係止状態が解除される。これにより、補助翼部９３ＣＬ、９３ＣＲは、第３補助弾性部材９３１ＣＬ、９３１ＣＲの弾性力により、開状態となる。
【０１３２】
さらにまた、閉状態の足部９４ＣＬ、９４ＣＲの第４係止部９４２ＣＬ、９４２ＣＲと胴部１ＣＬ、１ＣＲとの係止状態が解除される。これにより、足部９４ＣＬ、９４ＣＲは、第４補助弾性部材９４１ＣＬ、９４１ＣＲの弾性力により、開状態となる。
【０１３３】
さらにまた、閉状態の尾翼部９６Ｃの第６係止部９６２Ｃと閉状態の補助翼部９３ＣＬ、９３ＣＲとの係止状態が解除される。これにより、尾翼部９６Ｃは、第６補助弾性部材９６１Ｃの弾性力により、開状態となる。同じく、連結部９５Ｃは、第５補助弾性部材９５１Ｃの弾性力により、開状態となる。
【０１３４】
このようにして、この実施形態２にかかるカードスイッチ、変形玩具は、図７、図１２〜図１４に示す閉状態である球形状すなわち卵形状から、図８に示す開状態である翼竜のロボットに変形する。
【０１３５】
（実施形態２の効果の説明）
この実施形態２にかかるカードスイッチ、変形玩具は、以上のごとき構成および作用からなり、以下、その効果について説明する。
【０１３６】
この実施形態２にかかるカードスイッチ、変形玩具は、前記の実施形態１にかかるカードスイッチ、変形玩具の効果とほぼ同様の効果を達成することができる。特に、この実施形態２にかかるカードスイッチ、変形玩具は、球形状すなわち卵形状から翼竜のロボットに変形するので、面白みがさらに倍増される。
【０１３７】
この実施形態２にかかるカードスイッチ、変形玩具は、運動変換伝達部材６Ｃの第３ギア６３Ｃと解除部材７Ｃの回転体７１Ｃとの間に、回転運動一方向伝達部材８Ｃ、８０Ｃの凹凸８Ｃおよび弾性腕部８０Ｃを、設けるものである。このために、この実施形態２にかかるカードスイッチ、変形玩具は、カードＣ２Ｃの右側から左側への直線運動Ｘにより、閉状態から開状態となるが、カードＣ２Ｃの左側から右側への直線運動Ｘでは、閉状態から開状態とはならない。このように、この実施形態２にかかるカードスイッチ、変形玩具は、カードＣ２Ｃの直線運動Ｘの方向により、開状態となったりならなかったりするので、面白みがさらに倍増される。
【０１３８】
（実施形態３の構成の説明）
図１５〜図１７は、この発明にかかるカードスイッチ、変形玩具の実施形態３を示す。図１５〜図１７中、図１〜図１４と同符号は、同一の物を示す。以下、この実施形態３の構成について説明する。なお、この実施形態３における補助取付部材、補助弾性部材、係止部の構成は、前記の実施形態２における補助取付部材、補助弾性部材、係止部の構成と、同等もしくはほぼ同等である。このために、この実施形態３において、補助取付部材、補助弾性部材、係止部の一部の図示を省略する。
【０１３９】
この実施形態３にかかるカードスイッチ、変形玩具は、前記の実施形態２にかかるカードスイッチ、変形玩具と同様に、図１５に示す球形形状の物体あるいは卵から、図１６に示す翼竜などを模した翼竜ロボットに変形する例である。
【０１４０】
この実施形態３にかかるカードスイッチ、変形玩具は、図１７に示すように、カードＣ３Ｄと、基部材１ＤＬ、１ＤＲと、開閉部材２ＤＬ、２ＤＲと、スイッチ機構Ｓ１Ｄと、取付部材３ＤＬ、３ＤＲと、弾性部材４ＤＬ、４ＤＲと、補助開閉部材と、補助取付部材と、補助弾性部材と、係止部と、を備えるものである。
【０１４１】
（カードＣ３ＤＣの説明）
カードＣ３Ｄは、図１５〜図１７に示すように、前記の実施形態１の変形例２のフィルムタイプのカードＣ３を基本とするものである。すなわち、カードＣ３Ｄは、透孔形状の係合部Ｃ３０がカードＣ３Ｄの１長辺全体に亘って複数個設けられている。
【０１４２】
（基部材１ＤＬ、１ＤＲ、開閉部材２ＤＬ、２ＤＲの説明）
基部材１ＤＬ、１ＤＲは、図１５〜図１７に示すように、この例では、翼竜ロボットの胴部を模した左右の胴部である。左右の胴部（以下、単に「胴部」と称する）１ＤＬ、１ＤＲは、スクリュなどにより相互に一体に固定されている。胴部１ＤＬ、１ＤＲの内部中には、収納用の空間１１Ｄが形成されている。
【０１４３】
開閉部材２ＤＬ、２ＤＲは、図１５〜図１７に示すように、この例では、翼竜ロボットの主翼部を模した左右の主翼部である。左右の主翼部（以下、単に「主翼部」と称する）２ＤＬ、２ＤＲは、胴部１ＤＬ、１ＤＲに、左右の取付部材（以下、単に「取付部材」と称する）３ＤＬ、３ＤＲ（この例では、回転軸もしくはピンなど）により、それぞれ、開閉（回転）可能に取り付けられている。胴部１ＤＬ、１ＤＲおよび主翼部２ＤＬ、２ＤＲには、隙間ＫＤが左右方向に設けられている。
【０１４４】
胴部１ＤＬ、１ＤＲと主翼部２ＤＬ、２ＤＲとの間には、左右の弾性部材（以下、単に「弾性部材」と称する）４ＤＬ、４ＤＲ（この例では、トーションスプリング、ねじりばね、ねじりコイルばね）がそれぞれ介在されている。この結果、主翼部２ＤＬ、２ＤＲは、胴部１ＤＬ、１ＤＲに対して、閉状態（図１５に示すロック状態、変形前の状態）から開状態（図１６に示す解除状態、変形後の状態）に付勢されている。
【０１４５】
胴部１ＤＬ、１ＤＲの一部の外面、および、主翼部２ＤＬ、２ＤＲの外面は、それぞれ、球形の一部、すなわち、卵の殻の一部の形状をなす。
【０１４６】
（スイッチ機構Ｓ１Ｄの説明）
スイッチ機構Ｓ１Ｄは、胴部１ＤＬ、１ＤＲの空間１１Ｄ中に収納されている。スイッチ機構Ｓ１Ｄは、係合部材５Ｄと、運動変換伝達部材６Ｄと、解除部材７Ｄと、回転運動一方向伝達部材８０Ｄと、を有するものである。
【０１４７】
（係合部材５Ｄの説明）
係合部材５Ｄは、図１７に示すように、中央部５０Ｄと、上部５１Ｄと、左右の腕部５２ＤＬ、５２ＤＲと、から構成されている。係合部材５Ｄは、胴部１ＤＬ、１ＤＲの空間１１Ｄ中に上下方向に移動可能に収納されている。
【０１４８】
係合部材５Ｄの中央部５０Ｄと胴部１ＤＬ、１ＤＲとの間には、係合用弾性部材（この例では、圧縮コイルスプリング）１２Ｄが介在されている。この結果、係合部材５Ｄは、胴部１ＤＬ、１ＤＲに対して、下ろから上に図９中の矢印Ｆ３方向に常時付勢されている。
【０１４９】
図１７に示すように、係合部材５Ｄの左右の腕部５２ＤＬ、５２ＤＲの先端には、係合爪５３ＤＬ、５３ＤＲがそれぞれ設けられている。一方、主翼部２ＤＬ、２ＤＲには、係合爪２０ＤＬ（左側を図示し、右側の図示を省略する）がそれぞれ設けられている。
【０１５０】
係合部材５Ｄの係合爪５３ＤＬ、５３ＤＲは、主翼部２ＤＬ、２ＤＲの係合爪２０ＤＬに、係合用弾性部材１２Ｄの弾性力により、弾性係合している。これにより、係合部材５Ｄは、胴部１ＤＬ、１ＤＲに対して、閉状態の主翼部２ＤＬ、２ＤＲを、弾性部材４ＤＬ、４ＤＲの弾性力に抗して閉状態に維持する。
【０１５１】
（運動変換伝達部材６Ｄの説明）
運動変換伝達部材６Ｄは、図１７に示すように、第１ギア（歯車）６１Ｄと、第２ギア（歯車）６２Ｄと、第３ギア（歯車）６３Ｄと、回転軸６４Ｄと、からなる。回転軸６４Ｄの回転中心線（以下、「軸心」と称する）ＯＤは、上下方向をなし、左右方向の隙間ＫＤに対して垂直もしくはほぼ垂直である。カードＣ３Ｄの係合部Ｃ３０の個数と第１ギア６１Ｄの歯６０Ｄの個数との比は、任意である。
【０１５２】
なお、この実施形態３にかかる運動変換伝達部材６Ｄは、前記の実施形態２にかかる運動変換伝達部材６Ｃとほぼ同様の構成、作用をなすものであるから、その具体的な構成、作用の説明は、省略する。
【０１５３】
（解除部材７Ｄの説明）
解除部材７Ｄは、図１７に示すように、支持軸７０Ｄと、回転体７１Ｄと、押圧用弾性部材（この例では、圧縮コイルスプリング）７２Ｄと、からなる。回転体７１Ｄの一端（後ろ端）の外周面の一部には、解除凸部７３Ｄが一体に突設されている。支持軸７０Ｄの回転中心線（以下、「軸心」と称する）軸Ｏ１Ｄは、前後方向をなす。このために、支持軸７０Ｄの軸Ｏ１Ｄと回転軸６４Ｄの軸心ＯＤとは、直交もしくはほぼ直交する。
【０１５４】
なお、この実施形態３にかかる解除部材７Ｄは、前記実施形態２にかかる解除部材７Ｃとほぼ同様の構成、作用をなすものであるから、その具体的な構成、作用の説明は、省略する。
【０１５５】
（回転運動一方向伝達部材８０Ｄの説明）
回転運動一方向伝達部材８０Ｄは、図１７に示すように、ほぼ半円形状の複数個の凹凸と、ほぼ弓形状の２本の弾性腕部８０Ｄと、からなる。複数個の凹凸は、第３ギア６３Ｄの他端面（後端面）に設けられている。
【０１５６】
なお、この実施形態３にかかる凹凸および弾性腕部８０Ｄは、前記の実施形態２にかかる凹凸８Ｃおよび弾性腕部８０Ｃとほぼ同様の構成、作用をなすものであるから、その具体的な構成、作用の説明は、省略する。
【０１５７】
（回転部９０Ｄの説明）
胴部１ＤＬ、１ＤＲには、回転部９０Ｄが回転軸部により回転可能に取り付けられている。回転部９０Ｄには、歯部（ギア部）９０１Ｄが設けられている。回転部９０Ｄには、印（マーク）９０２Ｄが設けられている。
【０１５８】
（第１補助開閉部材９１Ｄ、第１補助取付部材９１０Ｄ、第１補助弾性部材９１１Ｄ、第１係止部９１２Ｄの説明）
第１補助開閉部材９１Ｄは、図１５〜図１７に示すように、この例では、翼竜ロボットの首部を模した首部である。首部９１Ｄは、胴部１ＤＬ、１ＤＲに、第１補助取付部材９１０Ｄにより、開閉（回転）可能に取り付けられている。胴部１ＤＬ、１ＤＲと首部９１Ｄとの間には、第１補助弾性部材９１１Ｄが介在されている。第１係止部９１２Ｄは、首部９１Ｄに設けられていて、主翼部２ＤＬ、２ＤＲに係止される。
【０１５９】
なお、この実施形態３にかかる首部９１Ｄ、第１補助取付部材９１０Ｄ、第１補助弾性部材９１１Ｄ、第１係止部９１２Ｄは、前記の実施形態２にかかる首部９１Ｃ、第１補助取付部材９１０Ｃ、第１補助弾性部材９１１Ｃ、第１係止部９１２Ｃとほぼ同様の構成、作用をなすものであるから、その具体的な構成、作用の説明は、省略する。
【０１６０】
（第２補助開閉部材９２Ｄ、第２補助取付部材、第２補助弾性部材９２１Ｄ、第２係止部９２２Ｄの説明）
第２補助開閉部材９２Ｄは、図１５〜図１７に示すように、この例では、翼竜ロボットの頭部を模した頭部である。頭部９２Ｄは、首部９１Ｄに、第２補助取付部材により、開閉（回転）可能に取り付けられている。首部９１Ｄと頭部９２Ｄの間には、第２補助弾性部材９２１Ｄが介在されている。第２係止部９２２Ｄは、頭部９２Ｄに設けられていて、胴部１ＣＤ、１ＣＤに係止される。
【０１６１】
なお、この実施形態３にかかる頭部９２Ｄ、第２補助取付部材、第２補助弾性部材９２１Ｄ、第２係止部９２２Ｄは、前記の実施形態２にかかる頭部９２Ｃ、第２補助取付部材９２０Ｃ、第２補助弾性部材９２１Ｃ、第２係止部９２２Ｃとほぼ同様の構成、作用をなすものであるから、その具体的な構成、作用の説明は、省略する。
【０１６２】
（第３補助開閉部材９３Ｄ、第３補助取付部材、第３補助弾性部材、第３係止部９３２Ｄの説明）
第３補助開閉部材９３Ｄは、図１６、図１７に示すように、この例では、翼竜ロボットの尾翼部を模した尾翼部である。尾翼部９３Ｄは、球形の一部、すなわち、卵の殻の一部の形状をなす。尾翼部９３Ｄは、胴部１ＤＬ、１ＤＲに、第３補助取付部材により、開閉（回転）可能に取り付けられている。胴部１ＤＬ、１ＤＲと尾翼部９３Ｄとの間には、第３補助弾性部材が介在されている。第３係止部９３２Ｄは、尾翼部９３Ｄに設けられていて、係合部材５Ｄに係止される。
【０１６３】
なお、この実施形態３にかかる尾翼部９３Ｄ、第３補助取付部材、第３補助弾性部材、第３係止部９３２Ｄは、前記の実施形態２にかかる尾翼部９６Ｃ、第６補助取付部材９６０Ｃ、第６補助弾性部材９６１Ｃ、第６係止部９６２Ｃとほぼ同様の構成、作用をなすものであるから、その具体的な構成、作用の説明は、省略する。
【０１６４】
（第４補助開閉部材９４ＤＬ、９４ＤＲ、第４補助取付部材、第４補助弾性部材９４１ＤＬ、９４１ＤＲ、第４係止部の説明）
第４補助開閉部材９４ＤＬ、９４ＤＲは、図１６、図１７に示すように、この例では、翼竜ロボットの後脚部を模した左右の後脚部である。左右の後脚部（以下、単に「後脚部」と称する）９４ＤＬ、９４ＤＲは、それぞれ、球形の一部、すなわち、卵の殻の一部の形状をなす。
【０１６５】
後脚部９４ＤＬ、９４ＤＲは、胴部１ＤＬ、１ＤＲに、第４補助取付部材により、開閉（回転）可能に取り付けられている。胴部１ＤＬ、１ＤＲと後脚部９４ＤＬ、９４ＤＲとの間には、第４補助弾性部材９４１ＤＬ、９４１ＤＲが介在されている。第４係止部は、後脚部９４ＤＬ、９４ＤＲにそれぞれ設けられていて、尾翼部９３Ｄに係止される。
【０１６６】
なお、この実施形態３にかかる後脚部９４ＤＬ、９４ＤＲ、第４補助取付部材、第４補助弾性部材９４１ＤＬ、９４１ＤＲ、第４係止部は、前記の実施形態２にかかる補助翼部９３ＣＬ、９３ＣＲ、第３補助取付部材９３０ＣＬ、９３０ＣＲ、第３補助弾性部材９３１ＣＬ、９３１ＣＲ、第３係止部９３２ＣＬ、９３２ＣＲとほぼ同様の構成、作用をなすものであるから、その具体的な構成、作用の説明は、省略する。
【０１６７】
（第５補助開閉部材９５ＤＬ、９５ＤＲ、第５補助取付部材、第５補助弾性部材９５１ＤＬ、９５１ＤＲ、第５係止部の説明）
第５補助開閉部材９５ＤＬ、９５ＤＲは、図１６、図１７に示すように、この例では、翼竜ロボットの前脚部を模した左右の前脚部である。左右の前脚部（以下、単に「前脚部」と称する）９５ＤＬ、９５ＤＲは、それぞれ、球形の一部、すなわち、卵の殻の一部の形状をなす。
【０１６８】
前脚部９５ＤＬ、９５ＤＲは、胴部１ＤＬ、１ＤＲに、第５補助取付部材により、開閉（回転）可能に取り付けられている。胴部１ＤＬ、１ＤＲと前脚部９５ＤＬ、９５ＤＲとの間には、第５補助弾性部材９５１ＤＬ、９５１ＤＲが介在されている。第５係止部は、前脚部９５ＤＬ、９５ＤＲにそれぞれ設けられていて、後脚部９４ＤＬ、９４ＤＲに係止される。
【０１６９】
なお、この実施形態３にかかる前脚部９５ＤＬ、９５ＤＲ、第５補助取付部材、第５補助弾性部材９５１ＤＬ、９５１ＤＲ、第５係止部は、前記の実施形態２にかかる補助翼部９３ＣＬ、９３ＣＲ、第３補助取付部材９３０ＣＬ、９３０ＣＲ、第３補助弾性部材９３１ＣＬ、９３１ＣＲ、第３係止部９３２ＣＬ、９３２ＣＲとほぼ同様の構成、作用をなすものであるから、その具体的な構成、作用の説明は、省略する。
【０１７０】
（実施形態３の作用の説明）
この実施形態３にかかるカードスイッチ、変形玩具は、以上のごとき構成からなり、以下、その作用について説明する。
【０１７１】
この実施形態３にかかるカードスイッチ、変形玩具は、図１５に示すように、閉状態のとき、球形状すなわち卵形状をなしている。
【０１７２】
このとき、係合部材５Ｄは、係合用弾性部材１２Ｄにより、常時矢印Ｆ３方向に付勢されている。係合部材５Ｄの係合爪５３ＤＬ、５３ＤＲは、閉状態の主翼部２ＤＬ、２ＤＲの係合爪に係合している。これにより、主翼部２ＤＬ、２ＤＲは、弾性部材４ＤＬ、４ＤＲの弾性力に抗して閉状態が維持されている。
【０１７３】
また、閉状態の各補助開閉部材（９１Ｄ、９２Ｄ、９３Ｄ、９４ＤＬ、９４ＤＲ、９５ＤＬ、９５ＤＲ）の係止部（９１２Ｄ、９２２Ｄ、９３２Ｄ）は、それぞれ、所定の部材に係止している。これにより、閉状態の各補助開閉部材は、補助弾性部材（９１１Ｄ、９２１Ｄ、９４１ＤＬ、９４１ＤＲ、９５１ＤＬ、９５１ＤＲ）の弾性力に抗して閉状態が維持されている。
【０１７４】
次に、図１５に示すように、胴部１ＤＬ、１ＤＲおよび閉状態の主翼部２ＤＬ、２ＤＲの隙間ＫＤに、カードＣ３Ｄの係合部Ｃ３０側の辺を、位置させる。また、カードＣ３Ｄの係合部Ｃ３０を運動変換伝達部材６Ｄの第１ギア６１Ｄの歯６０Ｄに係合させる。この状態で、カードＣ３Ｄを右側から左側に直線運動Ｘさせる。
【０１７５】
すると、カードＣ３Ｄの直線運動Ｘは、運動変換伝達部材６Ｄを介して、回転運動Ｙに変換される。これにより、解除部材７Ｄの回転体７１Ｄが回転する。回転体７１Ｄと一体の解除凸部７３Ｄが、係合部材５Ｄの上部５１Ｄに当たって、係合部材５Ｄを、係合用弾性部材１２Ｄの弾性力に抗して、矢印Ｆ３と逆方向に押し下げる。
【０１７６】
これにより、係合部材５Ｄの係合爪５３ＤＬ、５３ＤＲと閉状態の主翼部２ＤＬ、２ＤＲの係合爪との係合状態が解除される。この解除がトリガーとなって、閉状態の主翼部２ＤＬ、２ＤＲは、弾性部材４ＤＬ、４ＤＲの弾性力により、開状態となる。
【０１７７】
また、閉状態の各補助開閉部材（９１Ｄ、９２Ｄ、９３Ｄ、９４ＤＬ、９４ＤＲ、９５ＤＬ、９５ＤＲ）の係止部（９１２Ｄ、９２２Ｄ、９３２Ｄ）の係止状態が解除される。これにより、閉状態の各補助開閉部材は、補助弾性部材（９１１Ｄ、９２１Ｄ、９４１ＤＬ、９４１ＤＲ、９５１ＤＬ、９５１ＤＲ）の弾性力により、開状態となる。
【０１７８】
このようにして、この実施形態３にかかるカードスイッチ、変形玩具は、図１５に示す閉状態である球形状すなわち卵形状から、図１６に示す開状態である翼竜のロボットに変形する。
【０１７９】
（実施形態３の効果の説明）
この実施形態３にかかるカードスイッチ、変形玩具は、以上のごとき構成および作用からなるので、前記の実施形態１、２にかかるカードスイッチ、変形玩具の効果とほぼ同様の効果を達成することができる。
【０１８０】
（実施形態４の構成の説明）
図１８〜図２０は、この発明にかかるカードスイッチ、変形玩具の実施形態４を示す。図１８〜図２０中、図１〜図１７と同符号は、同一の物を示す。以下、この実施形態４の構成について説明する。なお、この実施形態４における補助取付部材、補助弾性部材、係止部の構成は、前記の実施形態２、３における補助取付部材、補助弾性部材、係止部の構成と、同等もしくはほぼ同等である。このために、この実施形態４において、補助取付部材、補助弾性部材、係止部の一部の図示を省略する。
【０１８１】
この実施形態４にかかるカードスイッチ、変形玩具は、前記の実施形態２、３にかかるカードスイッチ、変形玩具と同様に、図１８に示す球形形状の物体あるいは卵から、図１９に示す翼竜などを模した翼竜ロボットに変形する例である。
【０１８２】
この実施形態４にかかるカードスイッチ、変形玩具は、図２０に示すように、カードＣ１Ｅと、基部材１ＥＬ、１ＥＲと、開閉部材２ＥＬ、２ＥＲと、スイッチ機構Ｓ１Ｅと、取付部材３ＥＬ、３ＥＲと、弾性部材４ＥＬ、４ＥＲと、補助開閉部材と、補助取付部材と、補助弾性部材と、係止部と、付属部材９６ＥＬ、９６ＥＲを備えるものである。
【０１８３】
（カードＣ１ＥＣの説明）
カードＣ１Ｅは、図１８〜図２０に示すように、前記の実施形態１のギザギザタイプのカードＣ１を基本とするものである。すなわち、カードＣ１Ｅは、三角形の凹凸形状の係合部Ｃ１０がカードＣ１Ｅの１長辺全体に亘って複数個設けられている。
【０１８４】
（基部材１ＥＬ、１ＥＲ、開閉部材２ＥＬ、２ＥＲの説明）
基部材１ＥＬ、１ＥＲは、図１８〜図２０に示すように、この例では、翼竜ロボットの胴部を模した左右の胴部である。左右の胴部（以下、単に「胴部」と称する）１ＥＬ、１ＥＲは、スクリュなどにより相互に一体に固定されている。胴部１ＥＬ、１ＥＲの内部中には、収納用の空間１１Ｅが形成されている。
【０１８５】
開閉部材２ＥＬ、２ＥＲは、図１８〜図２０に示すように、この例では、翼竜ロボットの主翼部を模した左右の主翼部である。左右の主翼部（以下、単に「主翼部」と称する）２ＥＬ、２ＥＲは、胴部１ＥＬ、１ＥＲに、左右の取付部材（以下、単に「取付部材」と称する）３ＥＬ、３ＥＲ（この例では、回転軸もしくはピンなど）により、それぞれ、開閉（回転）可能に取り付けられている。胴部１ＥＬ、１ＥＲには、隙間ＫＥが前方斜め上から後方斜め下にかけて設けられている。
【０１８６】
胴部１ＥＬ、１ＥＲと主翼部２ＥＬ、２ＥＲとの間には、左右の弾性部材（以下、単に「弾性部材」と称する）４ＥＬ、４ＥＲ（この例では、トーションスプリング、ねじりばね、ねじりコイルばね）がそれぞれ介在されている。この結果、主翼部２ＥＬ、２ＥＲは、胴部１ＥＬ、１ＥＲに対して、閉状態（図１８に示すロック状態、変形前の状態）から開状態（図１９に示す解除状態、変形後の状態）に付勢されている。
【０１８７】
胴部１ＥＬ、１ＥＲの一部の外面、および、主翼部２ＥＬ、２ＥＲの外面は、それぞれ、球形の一部、すなわち、卵の殻の一部の形状をなす。
【０１８８】
（スイッチ機構Ｓ１Ｅの説明）
スイッチ機構Ｓ１Ｅは、胴部１ＥＬ、１ＥＲの空間１１Ｄ中に収納されている。スイッチ機構Ｓ１Ｅは、係合部材５Ｅと、運動変換伝達部材６Ｅと、解除部材７Ｅと、を有するものである。
【０１８９】
（係合部材５Ｅの説明）
係合部材５Ｅは、図２０に示すように、中央部５０Ｅと、上部５１Ｅと、左右の腕部５２ＥＬ、５２ＥＲと、から構成されている。係合部材５Ｅは、胴部１ＥＬ、１ＥＲの空間１１Ｅ中に上下方向に移動可能に収納されている。
【０１９０】
係合部材５Ｅの中央部５０Ｅと胴部１ＥＬ、１ＥＲとの間には、係合用弾性部材１２Ｅが介在されている。この結果、係合部材５Ｅは、胴部１ＥＬ、１ＥＲに対して、下ろから上に図９中の矢印Ｆ４方向に常時付勢されている。
【０１９１】
図２０に示すように、係合部材５Ｅの左右の腕部５２ＥＬ、５２ＥＲの先端には、係合爪５３ＥＬ、５３ＥＲがそれぞれ設けられている。一方、主翼部２ＥＬ、２ＥＲには、係合爪２０ＥＬ（左側を図示し、右側の図示を省略する）がそれぞれ設けられている。また、中央部５０Ｅの一端（後端）には、係止爪５４Ｅが設けられている。
【０１９２】
係合部材５Ｅの係合爪５３ＥＬ、５３ＥＲは、主翼部２ＥＬ、２ＥＲの係合爪２０ＥＬに、係合用弾性部材の弾性力により、弾性係合している。これにより、係合部材５Ｅは、胴部１ＥＬ、１ＥＲに対して、閉状態の主翼部２ＥＬ、２ＥＲを、弾性部材４ＥＬ、４ＥＲの弾性力に抗して閉状態に維持する。
【０１９３】
（運動変換伝達部材６Ｅの説明）
運動変換伝達部材６Ｅは、図２０に示すように、第１ギア（歯車）６１Ｅと、第２ギア（歯車）６２Ｅと、第１回転軸６３Ｅと、第２回転軸６４Ｅと、からなる。第１ギア６１Ｅは、第１回転軸６３Ｅに固定されている。第２ギア６２Ｅは、第２回転軸６４Ｅに固定されている。第１回転軸６３Ｅの両端と第２回転軸６４Ｅの両端とは、胴部１ＥＬ、１ＥＲにそれぞれ固定されている。第１ギア６１Ｅと第２ギア６２Ｅとは、相互に噛み合っている。
【０１９４】
第１回転軸６３Ｅの回転中心線（以下、「軸心」と称する）ＯＥは、左右方向をなし、隙間ＫＥの方向に対して垂直もしくはほぼ垂直である。第２回転軸６４Ｅの回転中心線（以下、「軸心」と称する）Ｏ１Ｅも、左右方向をなす。このために、第１回転軸６３Ｅの軸心ＯＥと第２回転軸６４Ｅの軸心とは、平行もしくはほぼ平行である。カードＣ１Ｅの係合部Ｃ１０の個数と第１ギア６１Ｅの歯６０Ｅの個数との比は、任意である。
【０１９５】
なお、この実施形態４にかかる運動変換伝達部材６Ｅは、前記の実施形態２、３にかかる運動変換伝達部材６Ｃ、６Ｄとほぼ同様の構成、作用をなすものであるから、その具体的な構成、作用の説明は、省略する。
【０１９６】
（解除部材７Ｅの説明）
解除部材７Ｅは、図２０に示すように、凸部形状をなす。解除部材７Ｅは、第２ギア６２Ｅのボス部に軸心Ｏ１Ｅから径方向に一体に突設されている。このために、解除部材７Ｅは、第２ギア６２Ｅと一体に回転する。
【０１９７】
（回転部９０Ｅの説明）
胴部１ＥＬ、１ＥＲには、回転部９０Ｅが回転軸部により回転可能に取り付けられている。回転部９０Ｅには、歯部（ギア部）９０１Ｅが設けられている。回転部９０Ｅには、印（マーク）９０２Ｅが設けられている。
【０１９８】
（第１補助開閉部材９１ＥＦ、９１ＥＢ、第１補助取付部材９１０Ｅ、第１補助弾性部材、第１係止部９１２Ｅの説明）
第１補助開閉部材９１ＥＦ、９１ＥＢは、図１８〜図２０に示すように、この例では、翼竜ロボットの頭部、首部を模した頭部、首部である。頭部９１ＥＦ、首部９１ＥＢは、胴部１ＤＬ、１ＤＲに一体に設けられている第１補助取付部材９１０Ｅにより、開閉（回転）可能に取り付けられている。胴部１ＤＬ、１ＤＲと首部９１ＥＢとの間には、第１補助弾性部材が介在されている。第１係止部９１２Ｅは、首部９１ＥＢに設けられていて、主翼部２ＥＬ、２ＥＲに係止される。
【０１９９】
なお、この実施形態４にかかる頭部９１ＥＦ、首部９１ＥＢ、第１補助取付部材９１０Ｅ、第１補助弾性部材、第１係止部９１２Ｅは、前記の実施形態２、３にかかる首部９１Ｃ、９１Ｄ、第１補助取付部材９１０Ｃ、９１０Ｄ、第１補助弾性部材９１１Ｃ、９１１Ｄ、第１係止部９１２Ｃ、９１２Ｄとほぼ同様の構成、作用をなすものであるから、その具体的な構成、作用の説明は、省略する。
【０２００】
（第２補助開閉部材９２Ｅ、第２補助取付部材９２０Ｅ、第２補助弾性部材、第２係止部９２２Ｅの説明）
第２補助開閉部材９２Ｅは、図１８〜図２０に示すように、この例では、翼竜ロボットの角部を模した角部である。角部９２Ｅは、頭部９１ＥＦ、首部９１ＥＢに、角部９２Ｅに一体に設けられている第２補助取付部材９２０Ｅにより、開閉（回転）可能に取り付けられている。頭部９１ＥＦ、首部９１ＥＢと角部９２Ｅの間には、第２補助弾性部材が介在されている。第２係止部９２２Ｅは、角部９２Ｅに設けられていて、主翼部２ＥＬ、２ＥＲに係止される。
【０２０１】
なお、この実施形態４にかかる角部９２Ｅ、第２補助取付部材９２０Ｅ、第２補助弾性部材、第２係止部９２２Ｅは、前記の実施形態２、３にかかる頭部９２Ｃ、９２Ｄ、第２補助取付部材９２０Ｃ、第２補助弾性部材９２１Ｃ、９２１Ｄ、第２係止部９２２Ｃ、９２２Ｄとほぼ同様の構成、作用をなすものであるから、その具体的な構成、作用の説明は、省略する。
【０２０２】
（第３補助開閉部材９３Ｅ、第３補助取付部材、第３補助弾性部材、第３係止部９３２Ｅの説明）
第３補助開閉部材９３Ｅは、図１９、図２０に示すように、この例では、翼竜ロボットの尾翼元部を模した尾翼元部である。尾翼元部９３Ｅは、球形の一部、すなわち、卵の殻の一部の形状をなす。尾翼元部９３Ｅは、胴部１ＤＬ、１ＤＲに、第３補助取付部材により、開閉（回転）可能に取り付けられている。胴部１ＤＬ、１ＤＲと尾翼元部９３Ｅとの間には、第３補助弾性部材が介在されている。第３係止部９３２Ｅは、尾翼元部９３Ｅに設けられていて、係合部材５Ｅの係止爪５４Ｅに係止される。
【０２０３】
なお、この実施形態４にかかる尾翼元部９３Ｅ、第３補助取付部材、第３補助弾性部材、第３係止部９３２Ｅは、前記の実施形態２にかかる尾翼部９６Ｃ、第６補助取付部材９６０Ｃ、第６補助弾性部材９６１Ｃ、第６係止部９６２Ｃ、あるいは、前記の実施形態３にかかる尾翼部９３Ｄ、第３補助取付部材、第３補助弾性部材、第３係止部９３２Ｄとほぼ同様の構成、作用をなすものであるから、その具体的な構成、作用の説明は、省略する。
【０２０４】
（第４補助開閉部材９４Ｅ、第４補助取付部材、第４補助弾性部材、第４係止部の説明）
第４補助開閉部材９４Ｅは、図１９、図２０に示すように、この例では、翼竜ロボットの尾翼先部を模した尾翼先部である。尾翼先部９４Ｅは、それぞれ、球形の一部、すなわち、卵の殻の一部の形状をなす。
【０２０５】
尾翼先部９４Ｅは、尾翼元部９３Ｅに、第４補助取付部材により、開閉（回転）可能に取り付けられている。尾翼元部９３Ｅと尾翼先部９４Ｅとの間には、第４補助弾性部材が介在されている。第４係止部は、尾翼先部９４Ｅに設けられていて、胴部１ＥＬ、１ＥＲもしくは主翼部２ＥＬ、２ＥＲの少なくともいずれか一方に係止される。尾翼先部９４Ｅには、スリット９４３Ｅが隙間ＫＥに対応するように設けられている。
【０２０６】
なお、この実施形態４にかかる尾翼先部９４Ｅ、第４補助取付部材、第４補助弾性部材、第４係止部は、前記の実施形態２、３にかかる頭部９２Ｃ、９２Ｄ、第２補助取付部材９２０Ｃ、第２補助弾性部材９２１Ｃ、９２１Ｄ、第２係止部９２２Ｃ、９２２Ｄとほぼ同様の構成、作用をなすものであるから、その具体的な構成、作用の説明は、省略する。
【０２０７】
（第５補助開閉部材９５ＥＬ、９５ＥＲ、第５補助取付部材９５０ＥＬ、９５０ＥＲ、第５補助弾性部材、第５係止部９５２ＥＬ、９５２ＥＲの説明）
第５補助開閉部材９５ＥＬ、９５ＥＲは、図１９、図２０に示すように、この例では、翼竜ロボットの脚部を模した左右の脚部である。左右の脚部（以下、単に「脚部」と称する）９５ＥＬ、９５ＥＲは、それぞれ、球形の一部、すなわち、卵の殻の一部の形状をなす。
【０２０８】
脚部９５ＥＬ、９５ＥＲは、胴部１ＥＬ、１ＥＲに、第５補助取付部材９５０ＥＬ、９５０ＥＲにより、開閉（回転）可能に取り付けられている。胴部１ＥＬ、１ＥＲと前部９５ＥＬ、９５ＥＲとの間には、第５補助弾性部材が介在されている。第５係止部９５２ＥＬ、９５２ＥＲは、前脚部９５ＥＬ、９５ＥＲにそれぞれ設けられていて、尾翼元部９３Ｅに係止される。
【０２０９】
なお、この実施形態４にかかる脚部９５ＥＬ、９５ＥＲ、第５補助取付部材９５０ＥＬ、９５０ＥＲ、第５補助弾性部材、第５係止部９５２ＥＬ、９５２ＥＲは、前記の実施形態２にかかる補助翼部９３ＣＬ、９３ＣＲ、第３補助取付部材９３０ＣＬ、９３０ＣＲ、第３補助弾性部材９３１ＣＬ、９３１ＣＲ、第３係止部９３２ＣＬ、９３２ＣＲとほぼ同様の構成、作用をなすものであるから、その具体的な構成、作用の説明は、省略する。
【０２１０】
（付属部材９６ＥＬ、９６ＥＲの説明）
付属部材９６ＥＬ、９６ＥＲは、図１９、図２０に示すように、この例では、翼竜ロボットの左右の腕部を模した左右の腕部である。左右の腕部（以下、単に「腕部」と称する）９６ＥＬ、９６ＥＲは、それぞれ、胴部１ＥＬ、１ＥＲに固定されている。腕部９６ＥＬ、９６ＥＲは、それぞれ、閉状態の主翼部２ＥＬ、２ＥＲにより覆い隠されていて、主翼部２ＥＬ、２ＥＲが開状態となると、現れる。
【０２１１】
（実施形態４の作用の説明）
この実施形態４にかかるカードスイッチ、変形玩具は、以上のごとき構成からなり、以下、その作用について説明する。
【０２１２】
この実施形態４にかかるカードスイッチ、変形玩具は、図１８に示すように、閉状態のとき、球形状すなわち卵形状をなしている。
【０２１３】
このとき、係合部材５Ｅは、係合用弾性部材１２Ｅにより、常時矢印Ｆ４方向に付勢されている。係合部材５Ｅの係合爪５３ＥＬ、５３ＥＲは、閉状態の主翼部２ＥＬ、２ＥＲの係合爪に係合している。係合部材５Ｅの係止爪５４Ｅは、閉状態の尾翼元部９３Ｅの第３係止部９３２Ｅに係止している。これにより、主翼部２ＥＬ、２ＥＲは、弾性部材４ＥＬ、４ＥＲの弾性力に抗して閉状態が維持されている。また、尾翼元部９３Ｅも、第３補助弾性部材の弾性力に抗して閉状態が維持されている。
【０２１４】
また、閉状態の各補助開閉部材（９１ＥＢ、９１ＥＦ、９２Ｅ、９３Ｅ、９４Ｅ、９５ＥＬ、９５ＥＲ）の係止部（９１２Ｅ、９２２Ｅ、９３２Ｅ、９５２ＥＬ、９５２ＥＲ）は、それぞれ、所定の部材に係止している。これにより、閉状態の各補助開閉部材は、補助弾性部材の弾性力に抗して閉状態が維持されている。
【０２１５】
次に、図１９に示すように、閉状態の尾翼先部９４Ｅのスリット９４３Ｅを通して、胴部１ＥＬ、１ＥＲの隙間ＫＥに、カードＣ１Ｅの係合部Ｃ１０側の辺を、位置させる。また、カードＣ１ＥＤの係合部Ｃ１０を運動変換伝達部材６Ｅの第１ギア６１Ｅの歯６０Ｅに係合させる。この状態で、カードＣ１Ｅを前方斜め上から後方斜め下に直線運動Ｘさせる。
【０２１６】
すると、カードＣ１Ｅの直線運動Ｘは、運動変換伝達部材６Ｅを介して、回転運動Ｙに変換される。これにより、解除部材７Ｅが第２ギア６２Ｅと一体に回転する。解除部材７Ｅが、係合部材５Ｅの上部５１Ｅに当たって、係合部材５Ｅを、係合用弾性部材１２Ｅの弾性力に抗して、矢印Ｆ４と逆方向に押し下げる。
【０２１７】
ここで、この実施形態４は、前記の実施形態２、３の回転運動一方向伝達部材８Ｃ、８０Ｃ、８０Ｄを設けなかったので、カードＣ１Ｅを、図１９、図２０中の矢印Ｘと反対方向に、カードＣ１Ｅを後方斜め下から前方斜め上に直線運動Ｘさせても良い。この場合、第１ギア６１Ｅが図２０中の矢印Ｙと反対方向に回転し、それに伴って、解除部材７Ｅが第２ギア６２Ｅと一体に回転して、係合部材５Ｅを矢印Ｆ４と逆方向に押し下げる。
【０２１８】
このように、カードＣ１Ｅの両方向の直線運動Ｘが第１ギア６１Ｅの両方向の回転運動Ｙに変換される。この回転運動Ｙにより係合部材５Ｅが矢印Ｆ４と逆方向に押し下げられる。
【０２１９】
これにより、係合部材５Ｅの係合爪５３ＥＬ、５３ＥＲと閉状態の主翼部２ＥＬ、２ＥＲの係合爪２０ＥＬとの係合状態が解除される。また、係合部材５Ｅの係止爪５４Ｅと閉状態の尾翼元部９３Ｅの第３係止部９３２Ｅとの係合状態が解除される。この解除がトリガーとなって、閉状態の主翼部２ＥＬ、２ＥＲは、弾性部材４ＥＬ、４ＥＲの弾性力により、開状態となる。また、閉状態の尾翼元部９３Ｅは、第３補助弾性部材の弾性力により、開状態となる。
【０２２０】
また、閉状態の各補助開閉部材（９１ＥＢ、９１ＥＦ、９２Ｅ、９３Ｅ、９４Ｅ、９５ＥＬ、９５ＥＲ）の係止部（９１２Ｅ、９２２Ｅ、９３２Ｅ、９５２ＥＬ、９５２ＥＲ）の係止状態が解除される。これにより、閉状態の各補助開閉部材は、補助弾性部材の弾性力により、開状態となる。
【０２２１】
このようにして、この実施形態４にかかるカードスイッチ、変形玩具は、図１８に示す閉状態である球形状すなわち卵形状から、図１９に示す開状態である翼竜のロボットに変形する。
【０２２２】
（実施形態４の効果の説明）
この実施形態４にかかるカードスイッチ、変形玩具は、以上のごとき構成および作用からなるので、前記の実施形態１、２、３にかかるカードスイッチ、変形玩具の効果とほぼ同様の効果を達成することができる。
【０２２３】
（実施形態１〜４以外の例の説明）
なお、この実施形態２、３、４においては、球形形状の物体あるいは卵から翼竜などを模した翼竜ロボットに変形する例である。ところが、この発明においては、閉状態の形状が、球形形状の物体あるいは卵形状以外の形状であっても良いし、また、開状態の形状が、翼竜ロボット以外に、ヘリコプタ、自動車、などの形状であっても良い。
【０２２４】
また、この実施形態２、３、４においては、基部材および補助開閉部材に補助開閉部材を取り付けるものである。ところが、この発明においては、基部材に、開閉部材に、開閉部材および補助開閉部材に、あるいは、基部材および開閉部材および補助開閉部材に、補助開閉部材を取り付けるものであっても良い。
【０２２５】
なお、この発明は、前記の実施形態１〜４により限定されるものではない。
【符号の説明】
【０２２６】
１、１Ａ、１Ｂ  基部材
２、２Ａ、２Ｂ  開閉部材
２０  係合凹部
３  取付部材
４  弾性部材
５  係合部材
６  運動変換伝達部材
６０  回転軸
６１  ギア
６２  歯（係合部）
７  解除部材
Ｂ  後
Ｃ１、Ｃ２、Ｃ３  カード
Ｃ１０、Ｃ２０、Ｃ３０  係合部
Ｄ  下
Ｆ  前
Ｋ  隙間
Ｌ  左
Ｏ  軸心（回転中心線）
Ｒ  右
Ｓ１  スイッチ機構
Ｓ１０  ケーシング
Ｕ  上
Ｘ  直線運動
Ｙ  回転運動
Ｚ  付勢の方向
１ＣＬ、１ＣＲ  基部材（胴部）
１０Ｃ  スクリュ
１１Ｃ  空間
１２Ｃ  係合用弾性部材
２ＣＬ、２ＣＲ  開閉部材（主翼部）
２０ＣＬ、２０ＣＲ  係合爪
３ＣＬ、３ＣＲ  取付部材
４ＣＬ、４ＣＲ  弾性部材
５Ｃ  係合部材
５０Ｃ  前板
５１Ｃ  底板
５２Ｃ  後板
５３ＣＬ、５３ＣＲ  係合爪
６Ｃ  運動変換伝達部材
６０Ｃ  歯
６１Ｃ  第１ギア
６２Ｃ  第２ギア
６３Ｃ  第３ギア
６４Ｃ  回転軸
７Ｃ  解除部材
７０Ｃ  支持軸
７１Ｃ  回転体
７２Ｃ  押圧用弾性部材
７３Ｃ  解除凸部
８Ｃ、８０Ｃ  回転運動一方向伝達部材
９０Ｃ  回転部
９００Ｃ  回転軸部
９０１Ｃ  歯部
９０２Ｃ  印
９１Ｃ、９２Ｃ、９３ＣＬ、９３ＣＲ、９４ＣＬ、９４ＣＲ、９５Ｃ、９６Ｃ、  補助開閉部材
９１０Ｃ、９２０Ｃ、９３０ＣＬ、９３０ＣＲ、９４０ＣＬ、９４０ＣＲ、９５０Ｃ、９６０Ｃ  補助取付部材
９１１Ｃ、９２１Ｃ、９３１ＣＬ、９３１ＣＲ、９４１ＣＬ、９４１ＣＲ、９５１Ｃ、９６１Ｃ  補助弾性部材
９１２Ｃ、９２２Ｃ、９３２ＣＬ、９３２ＣＲ、９４２ＣＬ、９４２ＣＲ、９５２Ｃ、９６２Ｃ  係止部
Ｃ２Ｃ  カード
Ｆ１、Ｆ２  付勢の方向
ＫＣ  隙間
ＯＣ、Ｏ１Ｃ  軸心（回転中心線）
Ｓ１Ｃ  スイッチ機構
１ＤＬ、１ＤＲ  基部材（胴部）
１１Ｄ  空間
１２Ｄ  係合用弾性部材
２ＤＬ、２ＤＲ  開閉部材（主翼部）
２０ＤＬ  係合爪
３ＤＬ、３ＤＲ  取付部材
４ＤＬ、４ＤＲ  弾性部材
５Ｄ  係合部材
５０Ｄ  中央部
５１Ｄ  上部
５２ＤＬ、５２ＤＲ  腕部
５３ＤＬ、５３ＤＲ  係合爪
６Ｄ  運動変換伝達部材
６０Ｄ  歯
６１Ｄ  第１ギア
６２Ｄ  第２ギア
６３Ｄ  第３ギア
６４Ｄ  回転軸
７Ｄ  解除部材
７０Ｄ  支持軸
７１Ｄ  回転体
７２Ｄ  押圧用弾性部材
７３Ｄ  解除凸部
８０Ｄ  回転運動一方向伝達部材
９０Ｄ  回転部
９０１Ｄ  歯部
９０２Ｄ  印
９１Ｄ、９２Ｄ、９３Ｄ、９４ＤＬ、９４ＤＲ、９５ＤＬ、９５ＤＲ  補助開閉部材
９１０Ｄ  補助取付部材
９１１Ｄ、９２１Ｄ、９４１ＤＬ、９４１ＤＲ、９５１ＤＬ、９５１ＤＲ  補助弾性部材
９１２Ｄ、９２２Ｄ、９３２Ｄ  係止部
Ｃ３Ｄ  カード
Ｆ３  付勢の方向
ＫＤ  隙間
ＯＤ、Ｏ１Ｄ  軸心（回転中心線）
Ｓ１Ｄ  スイッチ機構
１ＥＬ、１ＥＲ  基部材（胴部）
１１Ｅ  空間
１２Ｅ  係合用弾性部材
２ＥＬ、２ＥＲ  開閉部材（主翼部）
２０ＥＬ  係合爪
３ＥＬ、３ＥＲ  取付部材
４ＥＬ、４ＥＲ  弾性部材
５Ｅ  係合部材
５０Ｅ  中央部
５１Ｅ  上部
５２ＥＬ、５２ＥＲ  腕部
５３ＥＬ、５３ＥＲ  係合爪
５４Ｅ  係止爪
６Ｅ  運動変換伝達部材
６０Ｅ  歯
６１Ｅ  第１ギア
６２Ｅ  第２ギア
６３Ｅ  第１回転軸
６４Ｅ  第２回転軸
７Ｅ  解除部材
９０Ｅ  回転部
９０１Ｅ  歯部
９０２Ｅ  印
９１ＥＢ、９１ＥＦ、９２Ｅ、９３Ｅ、９４Ｅ、９５ＥＬ、９５ＥＲ  補助開閉部材
９１０Ｅ、９２０Ｅ、９５０ＥＬ、９５０ＥＲ  補助取付部材
９１２Ｅ、９２２Ｅ、９３２Ｅ、９５２ＥＬ、９５２ＥＲ  係止部
９４３Ｅ  スリット
９６ＥＬ、９６ＥＲ  付属部材
Ｃ１Ｅ  カード
Ｆ４  付勢の方向
ＫＥ  隙間
ＯＥ，Ｏ１Ｅ  軸心（回転中心線）
Ｓ１Ｅ  スイッチ機構
【図１】
0006727579.tif 000002
【図２】
0006727579.tif 000003
【図３】
0006727579.tif 000004
【図４】
0006727579.tif 000005
【図５】
0006727579.tif 000006
【図６】
0006727579.tif 000007
【図７】
0006727579.tif 000008
【図８】
0006727579.tif 000009
【図９】
0006727579.tif 000010
【図１０】
0006727579.tif 000011
【図１１】
0006727579.tif 000012
【図１２】
0006727579.tif 000013
【図１３】
0006727579.tif 000014
【図１４】
0006727579.tif 000015
【図１５】
0006727579.tif 000016
【図１６】
0006727579.tif 000017
【図１７】
0006727579.tif 000018
【図１８】
0006727579.tif 000019
【図１９】
0006727579.tif 000020
【図２０】
0006727579.tif 000021